(57)【特許請求の範囲】
【請求項１】
無線リンク監視を容易にする方法において、該方法は、
チャネル品質表示メジャーメントのセットを受信することと、ここで、前記チャネル品質表示メジャーメントのセットは、無線端末により監視される設定されたダウンリンク・キャリアのセットに関連する、
前記チャネル品質表示メジャーメントのセットに基づいて、キャリアのアクティブ・セットを更新することと、ここで、前記キャリアのアクティブ・セットは、前記設定されたダウンリンク・キャリアのセットのうちのアクティブ・キャリアのサブセットである、
更新されたキャリアのアクティブ・セットに基づいて、制御キャリアのセットを確認することと、ここで、前記制御キャリアのセットは、前記更新されたキャリアのアクティブ・セットのうちの制御キャリアのサブセットである、
前記制御キャリアのセットにおける少なくとも一つのキャリアの上で物理ダウンリンク制御チャネルを監視するように前記無線端末を設定することを含む方法。
【請求項２】
前記チャネル品質表示メジャーメントのセットを閾値と比較することを更に含み、
前記更新することは、前記比較することに基づく請求項１の方法。
【請求項３】
前記設定することは、少なくとも一つのキャリアの識別を容易にするための監視スキームを前記無線端末へ提供することを更に含む請求項１の方法。
【請求項４】
前記監視スキームは、前記制御キャリアのセットに含まれる単一の主要なキャリアを追跡するように前記無線端末に指示し、
無線リンク故障判定は、前記単一の主要なキャリアの上で検出されるリンク・ロスに基づく請求項３の方法。
【請求項５】
前記監視スキームは、前記制御キャリアのセットに含まれる第１の主要なキャリア及び第２の主要なキャリアを追跡するように前記無線端末に指示し、
無線リンク故障判定は、前記第１の主要なキャリアの上で検出される第１のリンク・ロス及び前記第２の主要なキャリアの上で検出される第２のリンク・ロスに基づく請求項３の方法。
【請求項６】
前記監視スキームは、前記制御キャリアのセットの各々の上で検出されるリンク・ロスに応答して、少なくとも一つの追加的なキャリアを追跡するように前記無線端末に指示し、
前記少なくとも一つの追加的なキャリアは、前記制御キャリアのセットに含まれない、設定されたダウンリンク・キャリアである請求項３の方法。
【請求項７】
前記少なくとも一つの追加的なキャリアの上で前記物理ダウンリンク制御チャネルを送信することを更に含む請求項６の方法。
【請求項８】
前記監視スキームは、前記少なくとも一つの追加的なキャリアになるべき補助的なキャリアのセットのうちの少なくとも一つを選択するように前記無線端末に指示し、
前記補助的なキャリアのセットは、前記制御キャリアのセットに含まない前記設定されたダウンリンク・キャリアのセットのうちの補助的なキャリアのサブセットである請求項６の方法。
【請求項９】
前記少なくとも一つの追加的なキャリアは、前記設定されたダウンリンク・キャリアのセットにおける各々のキャリアである請求項６の方法。
【請求項１０】
前記監視スキームは、監視される制御キャリアのセットのチャネル品質評価に基づいて、該監視される制御キャリアのセットを削減するように前記無線端末に指示する請求項９の方法。
【請求項１１】
前記更新することは、前記キャリアのアクティブ・セットから使用可能でないキャリアを削除することを含む請求項１の方法。
【請求項１２】
前記確認することは、前記制御キャリアのセットから前記使用可能でないキャリアを削除することを含む請求項１１の方法。
【請求項１３】
前記使用可能でないキャリアの上で前記物理ダウンリンク制御チャネルを追跡しないように前記無線端末を再設定することを更に含む請求項１２の方法。
【請求項１４】
前記使用可能でないキャリアの上で前記物理ダウンリンク制御チャネルを送信するのを中止することを更に含む請求項１２の方法。
【請求項１５】
前記更新することは、新たなキャリアを前記キャリアのアクティブ・セットに加えることを含む請求項１の方法。
【請求項１６】
前記確認することは、新たなキャリアを前記制御キャリアのセットに加えることを含む請求項１５の方法。
【請求項１７】
前記新たなキャリアの上で前記物理ダウンリンク制御チャネルを追跡するように前記無線端末を再設定することを更に含む請求項１６の方法。
【請求項１８】
前記新たなキャリアの上で前記物理ダウンリンク制御チャネルを送信することを更に含む請求項１６の方法。
【請求項１９】
無線リンク監視を容易にするように構成される装置において、該装置は、
メモリに記憶されたコンピュータ実行可能なコンポーネントを実行するように構成されるプロセッサを含み、該コンポーネントは、
チャネル品質表示メジャーメントのセットを受信するように構成される通信コンポーネントと、ここで、前記チャネル品質表示メジャーメントのセットは、無線端末により監視される設定されたダウンリンク・キャリアのセットに関連する、
前記チャネル品質表示メジャーメントのセットに基づいて、キャリアのアクティブ・セットを更新するように構成されるアクティブ・キャリア更新コンポーネントと、ここで、前記キャリアのアクティブ・セットは、前記設定されたダウンリンク・キャリアのセットのうちのアクティブ・キャリアのサブセットである、
更新されたキャリアのアクティブ・セットに基づいて、制御キャリアのセットを確認するように構成される制御キャリア更新コンポーネントと、ここで、前記制御キャリアのセットは、前記更新されたキャリアのアクティブ・セットのうちの制御キャリアのサブセットである、
前記制御キャリアのセットにおける少なくとも一つのキャリアの上で物理ダウンリンク制御チャネルを監視するように前記無線端末に指示するように構成される制御監視コンポーネントとを含む装置。
【請求項２０】
前記アクティブ・キャリア更新コンポーネントは、前記チャネル品質表示メジャーメントのセットと閾値との間の比較をするように更に構成され、
前記キャリアのアクティブ・セットは、前記比較に基づいて更新される請求項１９の装置。
【請求項２１】
前記制御監視コンポーネントは、少なくとも一つのキャリアの識別を容易にするための監視スキームを生成するように構成され、
前記通信コンポーネントは、前記監視スキームを前記無線端末へ送信するように構成される請求項１９の装置。
【請求項２２】
前記監視スキームは、前記制御キャリアのセットに含まれる単一の主要なキャリアを追跡するように前記無線端末に指示し、
無線リンク故障判定は、前記単一の主要なキャリアの上で検出されるリンク・ロスに基づく請求項２１の装置。
【請求項２３】
前記監視スキームは、前記制御キャリアのセットに含まれる第１の主要なキャリア及び第２の主要なキャリアを追跡するように前記無線端末に指示し、
無線リンク故障判定は、前記第１の主要なキャリアの上で検出される第１のリンク・ロス及び前記第２の主要なキャリアの上で検出される第２のリンク・ロスに基づく請求項２１の装置。
【請求項２４】
前記監視スキームは、前記制御キャリアのセットの各々の上で検出されるリンク・ロスに応答して、少なくとも一つの追加的なキャリアを追跡するように前記無線端末に指示し、
前記少なくとも一つの追加的なキャリアは、前記制御キャリアのセットに含まれない、設定されたダウンリンク・キャリアである請求項２１の装置。
【請求項２５】
前記通信コンポーネントは、少なくとも一つの追加的なキャリアの上で物理ダウンリンク制御チャネルを送信するように構成される請求項２４の装置。
【請求項２６】
前記監視スキームは、前記少なくとも一つの追加的なキャリアになるべき補助的なキャリアのセットのうちの少なくとも一つを選択するように前記無線端末に指示し、
前記補助的なキャリアのセットは、前記制御キャリアのセットを含まない、前記設定されたダウンリンク・キャリアのセットのうちの補助的なキャリアのサブセットである請求項２４の装置。
【請求項２７】
前記少なくとも一つの追加的なキャリアは、前記設定されたダウンリンク・キャリアのセットにおける各々のキャリアである請求項２４の装置。
【請求項２８】
前記監視スキームは、監視される制御キャリアのセットのチャネル品質評価に基づいて、該監視される制御キャリアのセットを削減するように前記無線端末に指示する請求項２７の装置。
【請求項２９】
前記アクティブ・キャリア更新コンポーネントは、前記キャリアのアクティブ・セットから使用可能でないキャリアを削除するように構成される請求項１９の装置。
【請求項３０】
前記制御キャリア更新コンポーネントは、前記制御キャリアのセットから前記使用可能でないキャリアを削除するように構成される請求項２９の装置。
【請求項３１】
前記制御監視コンポーネントは、前記使用可能でないキャリアの上で前記物理ダウンリンク制御チャネルを追跡しないように前記無線端末を再設定するように構成される請求項３０の装置。
【請求項３２】
前記通信コンポーネントは、前記使用可能でないキャリアの上で前記物理ダウンリンク制御チャネルを送信するのを中止するように構成される請求項３０の装置。
【請求項３３】
前記アクティブ・キャリア更新コンポーネントは、新たなキャリアを前記キャリアのアクティブ・セットに加えるように構成される請求項１９の装置。
【請求項３４】
前記制御キャリア更新コンポーネントは、新たなキャリアを前記制御キャリアのセットに加えるように構成される請求項３３の装置。
【請求項３５】
前記制御監視コンポーネントは、前記新たなキャリアの上で前記物理ダウンリンク制御チャネルを追跡するように前記無線端末を再設定するように構成される請求項３４の装置。
【請求項３６】
前記通信コンポーネントは、前記新たなキャリアの上で前記物理ダウンリンク制御チャネルを送信するように構成される請求項３５の装置。
【請求項３７】
無線リンク監視を容易にするコンピュータ・プログラムを記憶するコンピュータ読み取り可能な記憶媒体において、前記コンピュータ・プログラムは、
少なくとも一つのコンピュータに、
チャネル品質表示メジャーメントのセットを受信させ、ここで、前記チャネル品質表示メジャーメントのセットは、無線端末により監視される設定されたダウンリンク・キャリアのセットに関連する、
前記チャネル品質表示メジャーメントのセットに基づいて、キャリアのアクティブ・セットを更新させ、ここで、前記キャリアのアクティブ・セットは、前記設定されたダウンリンク・キャリアのセットのうちのアクティブ・キャリアのサブセットである、
更新されたキャリアのアクティブ・セットに基づいて、制御キャリアのセットを確認させ、ここで、前記制御キャリアのセットは、前記更新されたキャリアのうちのアクティブ・セットの制御キャリアのサブセットである、
前記制御キャリアのセットにおける少なくとも一つのキャリアの上で物理ダウンリンク制御チャネルを監視するように前記無線端末を設定させるためのコードを含むコンピュータ読み取り可能な記憶媒体。
【請求項３８】
前記コードは、更に、前記少なくとも一つのコンピュータに、前記チャネル品質表示メジャーメントでセットと閾値との間の比較をさせ、
前記キャリアのアクティブ・セットは、前記比較に基づいて更新される請求項３７のコンピュータ読み取り可能な記憶媒体。
【請求項３９】
前記コードは、更に、前記少なくとも一つのコンピュータに、少なくとも一つのキャリアの識別を容易にするための監視スキームを前記無線端末へ提供させる請求項３７のコンピュータ読み取り可能な記憶媒体。
【請求項４０】
前記監視スキームは、前記制御キャリアのセットに含まれる単一の主要なキャリアを追跡するように前記無線端末に指示し、
無線リンク故障判定は、前記単一の主要なキャリアの上で検出されるリンク・ロスに基づく請求項３９のコンピュータ読み取り可能な記憶媒体。
【請求項４１】
前記監視スキームは、前記制御キャリアのセットに含まれる第１の主要なキャリア及び第２の主要なキャリアを追跡するように前記無線端末に指示し、
無線リンク故障判定は、前記第１の主要なキャリアの上で検出される第１のリンク・ロス及び前記第２の主要なキャリアの上で検出される第２のリンク・ロスに基づく請求項３９のコンピュータ読み取り可能な記憶媒体。
【請求項４２】
無線リンク監視を容易にするように構成される装置において、該装置は、
チャネル品質表示メジャーメントのセットを受信するための手段と、ここで、前記チャネル品質表示メジャーメントのセットは、無線端末により監視される設定されたダウンリンク・キャリアのセットに関連する、
前記チャネル品質表示メジャーメントのセットに基づいて、キャリアのアクティブ・セットを更新するための手段と、ここで、前記キャリアのアクティブ・セットは、前記設定されたダウンリンク・キャリアのセットのうちのアクティブ・キャリアのサブセットである、
更新されたキャリアのアクティブ・セットに基づいて、制御キャリアのセットを確認するための手段と、ここで、前記制御キャリアのセットは、前記更新されたキャリアのアクティブ・セットのうちの制御キャリアのサブセットである、
前記制御キャリアのセットにおける少なくとも一つのキャリアの上で物理ダウンリンク制御チャネルを監視するように前記無線端末を設定するための手段と含む装置。
【請求項４３】
少なくとも一つのキャリアの識別を容易にするための監視スキームを前記無線端末へ送信するための手段を更に含む請求項４２の装置。
【請求項４４】
前記監視スキームは、前記制御キャリアのセットの各々の上で検出されるリンク・ロスに応答して、追跡する少なくとも一つの追加的なキャリアを識別し、
前記少なくとも一つの追加的なキャリアは、前記制御キャリアのセットに含まれない、設定されたダウンリンク・キャリアである請求項４３の装置。
【請求項４５】
前記監視スキームは、前記少なくとも一つの追加的なキャリアになるべき補助的なキャリアのセットのうちの少なくとも一つを選択するように前記無線端末に指示し、
前記補助的なキャリアのセットは、前記制御キャリアのセットを含まない、前記設定されたダウンリンク・キャリアのセットのうちの補助的なキャリアのサブセットである請求項４４の装置。
【請求項４６】
前記少なくとも一つの追加的なキャリアは、前記設定されたダウンリンク・キャリアのセットにおける各々のキャリアである請求項４４の装置。
【発明の詳細な説明】
【技術分野】
【０００１】
（関連出願の相互参照）
この出願は、２００９年６月９日付け提出された「SYSTEMS AND METHODS OF RADIO LINK MONITORING AND RECOVERING」と題された米国仮出願第６１／１８５，４８０号の優先権を主張する。当該出願は、参照によってその全体が本明細書に組み込まれる。
【０００２】
（技術分野）
以下の説明は、一般に無線通信に関し、より詳しくは戦略的な無線リンク故障判定を容易にするための方法及び装置に関する。
【背景技術】
【０００３】
様々なタイプの通信コンテンツ（例えば、ボイス、データなど）を提供するために無線通信システムが広く配備される。これらのシステムは、利用可能なシステム資源（例えばバンド幅及び送信電力）を共有することによって複数のユーザとの通信をサポートすることができる多元接続システムであり得る。そのようなマルチアクセス・システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム及び直交周波数分割多元接続（ＯＦＤＭＡ）システムを含む。
【０００４】
通常、無線多元接続通信システムは、複数の無線端末のための通信を同時にサポートすることができる。各々の端末は、順方向及び逆方向リンク上での伝送を介して１又は複数の基地局と通信する。順方向リンク（又はダウンリンク）は基地局から端末への通信リンクを指し、逆方向リンク（又はアップリンク）は端末から基地局への通信リンクを指す。この通信リンクは、単一入力単一出力、多重入力単一出力又は多重入力多重出力（ＭＩＭＯ）システムを介して確立され得る。
【０００５】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナにより形成されるＭＩＭＯチャネルは、ＮＳ個の独立したチャネル（それは空間チャネルとも呼ばれる）に分解され得る。ここで、ＮＳ≦ｍｉｎ｛ＮＴ，ＮＲ｝である。ＮＳ個の独立したチャネルの各々は、次元に対応する。複数の送信及び受信アンテナにより作成される更なる次元が利用される場合、ＭＩＭＯシステムは、向上されたパフォーマンス（例えば、より高いスループット及び／又はより大きな信頼性）を提供することができる。
【０００６】
ＭＩＭＯシステムは、時分割双方向（ＴＤＤ）及び周波数分割双方向（ＦＤＤ）システムをサポートする。ＴＤＤシステムにおいて、順方向及び逆方向リンク伝送は、相互関係原則が逆方向リンク・チャネルから順方向リンク・チャネルを推定することを可能にするように、同一の周波数領域上にある。これは、アクセスポイントにおいて複数のアンテナが利用できるときに、アクセスポイントが順方向リンク上の送信ビームフォーミング利得（transmit beamforming gain）を抽出するのを可能にする。
【０００７】
無線リンク監視（radio link monitoring）に関して、無線リンク故障（radio link failure）が宣言されるまで、そのような監視を実行するための資源が利用され続ける点に留意される。一方、無線リンク故障があまりに早く宣言されるならば、潜在的に回復可能な通信（potentially recoverable communication）が、時期尚早に（prematurely）失われる可能性がある。他方、無線リンク故障があまりに遅く宣言されるならば、有益な（valuable）資源が浪費される可能性がある。したがって、無線リンク故障を宣言するための戦略的なメカニズム（strategic mechanism）が望ましいが、従来のシステムの無線リンク故障を宣言するための非効率的なメカニズムには、そのようなメカニズムが不足している。
【０００８】
上記の現在の無線通信システムの不備（deficiencies）は、単に従来のシステムの問題の幾つかの概要を提供することを意図されており、網羅的（exhaustive）であることを意図されていない。従来のシステムに関連する他の問題及び本明細書で説明される様々な非制限的な実施形態の対応する利点は、以下の説明のレビューの上で更に明らかになり得る。
【発明の概要】
【０００９】
以下は、そのような実施形態の基本的な理解を提供するために、１又は複数の実施形態の簡略化された概要を示す。この概要は、すべての予期される実施形態の外延的な概要であるというわけではなく、また、すべての実施形態の鍵となる又は重要な要素を識別することも、一部又は全部の実施形態の範囲を線引きすることも、いずれも意図されていない。その唯一の目的は、後で示されるより詳しい説明への前置きとして１又は複数の実施形態の幾つかの概念を簡略化された形で提示することである。
【００１０】
１又は複数の実施形態及びその対応する開示に従って、無線リンク監視に関連して様々な態様が説明される。一つの態様において、無線リンク故障判定をするのを容易にする方法及びコンピュータ・プログラム製品が開示される。これらの実施形態は、設定されたダウンリンク・キャリアのセットを介して、ダウンリンク通信を受信することを含む。これらの実施形態は、上記設定されたダウンリンク・キャリアのセットの上で、受信信号のチャネル品質を監視することを更に含む。これらの実施形態はまた、少なくとも一つの主要キャリアの上で、制御信号の制御チャネル品質を追跡することを含む。ここでは、上記少なくとも一つの主要キャリアは制御キャリアのセットに含まれ、上記制御キャリアのセットは、上記設定されたダウンリンク・キャリアのセットに含まれる。そして、上記制御チャネル品質に基づいて、無線リンク故障判定が実行される。
【００１１】
他の態様において、無線リンク故障判定をするのを容易にするように構成される装置が開示される。そのような実施形態の中で、該装置は、メモリに記憶されるコンピュータ実行可能なコンポーネントを実行するように構成されるプロセッサを含む。上記コンピュータ実行可能なコンポーネントは、通信コンポーネント、監視コンポーネント、制御監視コンポーネント及び判定コンポーネントを含む。上記通信コンポーネントは、設定されたダウンリンク・キャリアのセットを介して、ダウンリンク通信を受信するように構成される。そして、上記監視コンポーネントは、上記設定されたダウンリンク・キャリアのセットの上で、受信信号のチャネル品質を監視するように構成され、一方、上記制御監視コンポーネントは、少なくとも一つの主要キャリアの上で、制御信号の制御チャネル品質を追跡するように構成される。これらの実施形態について、上記少なくとも一つの主要キャリアは制御キャリアのセットに含まれ、上記制御キャリアのセットは、上記設定されたダウンリンク・キャリアのセットに含まれる。そして、上記判定コンポーネントは、上記制御チャネル品質に基づいて、無線リンク故障判定を実行するように構成され。
【００１２】
更なる態様において、他の装置が開示される。そのような実施形態の中で、該装置は、受信するための手段、監視するための手段、追跡するための手段及び実行するための手段を含む。この実施形態について、上記受信するための手段は、設定されたダウンリンク・キャリアのセットを介して、ダウンリンク通信を受信するための手段である。そして、上記監視するための手段は、上記設定されたダウンリンク・キャリアのセットの上で、受信信号のチャネル品質を監視するように構成され、一方、上記追跡するための手段は、少なくとも一つの主要キャリアの上で、制御信号の制御チャネル品質を追跡するように構成される。これらの実施形態について、上記少なくとも一つの主要キャリアは制御キャリアのセットに含まれ、上記制御キャリアのセットは、上記設定されたダウンリンク・キャリアのセットに含まれる。そして、上記実行するための手段は、上記制御チャネル品質に基づいて、無線リンク故障判定を実行する。
【００１３】
他の態様において、無線リンク故障判定をするための他の方法及びコンピュータ・プログラム製品が開示される。これらの実施形態は、設定されたダウンリンク・キャリアのセットを介して、ダウンリンク通信を受信すること、上記設定されたダウンリンク・キャリアのセットの上で、受信信号のチャネル品質を監視することを含む。そして、制御キャリアのセットの各々に関連するリンク・ロスに応答して、追加的なキャリアが選択される。これらの実施形態について、上記制御キャリアのセットは、上記設定されたダウンリンク・キャリアのセットに含まれ、上記追加的なキャリアは、上記制御キャリアのセットに含まれない設定されたダウンリンク・キャリアである。そして、上記追加的なキャリアの上で制御信号の制御チャネル品質が追跡され、上記制御チャネル品質に基づいて、無線リンク故障判定が実行される。
【００１４】
無線リンク監視のための他の装置がまた開示される。そのような実施形態の中で、該装置は、メモリに記憶されるコンピュータ実行可能なコンポーネントを実行するように構成されるプロセッサを含む。上記コンピュータ実行可能なコンポーネントは、通信コンポーネント、監視コンポーネント、制御監視コンポーネント及び判定コンポーネントを含む。上記通信コンポーネントは、設定されたダウンリンク・キャリアのセットを介して、ダウンリンク通信を受信するように構成される。そして、上記監視コンポーネントは、上記設定されたダウンリンク・キャリアのセットの上で、受信信号のチャネル品質を監視するように構成され、一方、上記制御監視コンポーネントは、制御キャリアのセットの各々に関連するリンク・ロスに応答して選択された少なくとも一つの追加的なキャリアの上で、制御信号の制御チャネル品質を追跡するように構成される。そのような実施形態の中で、上記制御キャリアのセットは、上記設定されたダウンリンク・キャリアのセットに含まれ、上記少なくとも一つの追加的なキャリアは、上記制御キャリアのセットに含まれない、設定されたダウンリンク・キャリアである。さらにまた、上記判定コンポーネントは、上記制御チャネル品質に基づいて、無線リンク故障判定を実行するように構成され。
【００１５】
更なる態様において、他の装置が開示される。そのような実施形態の中で、該装置は、受信するための手段、監視するための手段、選択するための手段、追跡するための手段及び実行するための手段を含む。この実施形態について、上記受信するための手段は、設定されたダウンリンク・キャリアのセットを介して、ダウンリンク通信を受信する。そして、上記監視するための手段は、上記設定されたダウンリンク・キャリアのセットの上で、受信信号のチャネル品質を監視し、一方、上記選択するための手段は、制御キャリアのセットの各々に関連するリンク・ロスに応答して、追加的なキャリアを選択する。そのような実施形態の中で、上記制御キャリアのセットは、上記設定されたダウンリンク・キャリアのセットに含まれ、上記追加的なキャリアは、上記制御キャリアのセットに含まれない、設定されたダウンリンク・キャリアである。そして、上記追跡するための手段は、上記追加的なキャリアの上で制御信号の制御チャネル品質を追跡し、一方、上記実行するための手段は、上記制御チャネル品質に基づいて、無線リンク故障判定を実行する。
【００１６】
他の態様において、無線リンク故障判定を容易にするための方法及びコンピュータ・プログラム製品が開示される。そのような実施形態は、一連のアクト及び／又はインストラクションを含んでも良い。例えば、無線端末により監視される設定されたダウンリンク・キャリアのセットに関連する、チャネル品質表示メジャーメントのセットを受信するためのアクト／インストラクションが含まれる。これらの実施形態は、上記チャネル品質表示メジャーメントのセットに基づいて、キャリアのアクティブ・セットを更新すること、更新されたキャリアのアクティブ・セットに基づいて、制御キャリアのセットを確認することを更に含む。これらの実施形態について、上記キャリアのアクティブ・セットは、上記設定されたダウンリンク・キャリアのセットのうちのアクティブ・キャリアのサブセットであり、一方、上記制御キャリアのセットは、上記更新されたキャリアのアクティブ・セットのうちの制御キャリアのサブセットである。そして、上記制御キャリアのセットにおける少なくとも一つのキャリアの上で制御信号を監視するように、上記無線端末が設定される。
【００１７】
無線リンク故障判定を容易にするように構成される装置がまた開示される。そのような実施形態の中で、該装置は、メモリに記憶されるコンピュータ実行可能なコンポーネントを実行するように構成されるプロセッサを含む。上記コンピュータ実行可能なコンポーネントは、通信コンポーネント、アクティブ・キャリア更新コンポーネント、制御キャリア更新コンポーネント及び制御監視コンポーネントを含む。上記通信コンポーネントは、無線端末により監視される設定されたダウンリンク・キャリアのセットに関連する、チャネル品質表示メジャーメントのセットを受信するように構成される。そして、上記アクティブ・キャリア更新コンポーネントは、上記チャネル品質表示メジャーメントのセットに基づいて、キャリアのアクティブ・セットを更新するように構成され、一方、上記制御キャリア更新コンポーネントは、更新されたキャリアのアクティブ・セットに基づいて、制御キャリアのセットを確認するように構成される。これらの実施形態について、上記キャリアのアクティブ・セットは、上記設定されたダウンリンク・キャリアのセットのうちのアクティブ・キャリアのサブセットであり、一方、上記制御キャリアのセットは、上記更新されたキャリアのアクティブ・セットのうちの制御キャリアのサブセットである。そして、上記制御監視コンポーネントは、上記制御キャリアのセットにおける少なくとも一つのキャリアの上で制御信号を監視するように、上記無線端末を設定する。
【００１８】
更なる態様において、他の装置が開示される。そのような実施形態の中で、該装置は、受信するための手段、更新するための手段、確認するための手段及び設定するための手段を含む。上記受信するための手段は、無線端末により監視される設定されたダウンリンク・キャリアのセットに関連する、チャネル品質表示メジャーメントのセットを受信する。そして、上記更新するための手段は、上記チャネル品質表示メジャーメントのセットに基づいて、キャリアのアクティブ・セットを更新し、一方、上記確認するための手段は、更新されたキャリアのアクティブ・セットに基づいて、制御キャリアのセットを確認する。この特定の実施形態について、上記キャリアのアクティブ・セットは、上記設定されたダウンリンク・キャリアのセットのうちのアクティブ・キャリアのサブセットであり、一方、上記制御キャリアのセットは、上記更新されたキャリアのアクティブ・セットのうちの制御キャリアのサブセットである。そして、上記設定するための手段は、上記制御キャリアのセットにおける少なくとも一つのキャリアの上で制御信号を監視するように、上記無線端末を設定する。更なる態様において、送信するための手段がまた含まれても良い。ここで、該送信するための手段は、監視する少なくとも一つのキャリアの識別を容易にするための監視スキームを無線端末へ送信する。
【００１９】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用されることのできる様々な方法のうちのほんの数例を示す。また、この説明は、すべてのそのような態様及びそれらの均等物を含むことが意図される。
【図面の簡単な説明】
【００２０】
【図１】図１は、本明細書で説明される様々な態様に従った無線通信システムの説明図である。
【図２】図２は、本明細書で説明される様々なシステム及び方法とともに使用されることができる例示的な無線ネットワーク環境の説明図である。
【図３】図３は、一実施形態に従った無線リンク故障判定（radio link failure determination）を容易にするための例示的なシステムの説明図である。
【図４】図４は、対象となるスペシフィケイション（specification）の態様に従った無線リンク故障の判定を容易にする例示的な基地局のブロック図を示す。
【図５】図５は、無線リンク故障判定を実現する複数の電気コンポーネントの例示的な結合の説明図である。
【図６】図６は、対象となるスペシフィケイションの態様に従った無線リンク故障判定を容易にするための例示的な手順を示すフローチャートである。
【図７】図７は、対象となるスペシフィケイションの態様に従った無線リンク故障の判定を容易にする例示的な無線端末のブロック図を示す。
【図８】図８は、無線リンク故障の判定を実現する複数の電気コンポーネントの第１の例示的な結合の説明図である。
【図９】図９は、無線リンク故障の判定を実現する複数の電気コンポーネントの第２の例示的な結合の説明図である。
【図１０】図１０は、対象となるスペシフィケイションの態様に従った無線リンク故障判定を容易にするための例示的な手順を示すフローチャートである。
【図１１】図１１は、複数のセルを含む様々な態様に従って実装される例示的な通信システムの説明図である。
【図１２】図１２は、本明細書で説明される様々な態様に従った例示的な基地局の説明図である。
【図１３】図１３は、本明細書で説明される様々な態様に従って実装される例示的な無線端末の説明図である。
【詳細な説明】
【００２１】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施され得ることは明らかであろう。他のインスタンスにおいて、１又は複数の実施形態の説明を容易にするために、良く知られた構造及びデバイスが、ブロック図の形で示される。
【００２２】
対象となるスペシフィケイションは、戦略的な無線リンク故障判定を容易にすることに向けられる。特定の態様において、対象となるイノベーションは、マルチキャリア通信システム（例えば、ＬＴＥアドバンスト（ＬＴＥ−Ａ））におけるリンク故障の管理のために、ユーザ装置側よりもむしろネットワーク側に関する基準（criteria）を示す（designates）。そのために、ｅＮｏｄｅＢのためにキャリアのアクティブ・セットが指定される一つの例示的な実施形態が開示される。ここで、そのようなアクティブ・セットは、ユーザ装置の観点から使用可能なキャリアのセットを含む。よって、キャリアのアクティブ・セットは、それに関連するユーザ装置にとって許容できる（acceptable）品質を示す設定されたキャリアのグループ（a group of configured carriers）を含む。例えば、アップロード及びダウンリンク・キャリアは、ユーザ装置のために設定されることができ、また、許容できるチャネル品質をもつキャリアを識別するために追跡されることができる。そして、それは、アクティブ・セットの一部として維持される。
【００２３】
したがって、ユーザ装置は、アクティブ・セットの一部として指定されるキャリアについてスケジュールされることができる。一つの関係する態様において、アクティブ・セットの一部としてキャリアを含むための基準は、ｅＮｏｄｅＢ側における予め定められた閾値を含むことができる。ここで、そのような閾値は、チャネル／無線リンク品質、様々なチャネル品質表示（channel quality indicator）（ＣＱＩ）インデックス、レポーティング・インデックス、他のルール・ベースの閾値、及び同類のものに関連することができる。そして、キャリアは、キャリアのアクティブ・セットに含まれる（included）ことができ及び／又はキャリアのアクティブ・セットから除外（excluded）されることができる。一つの態様において、二つの主要な（primary）キャリアを使用するシステムにおいて一つのキャリアが欠ける場合に、他のキャリアは、ユーザ装置をスケジュールするために再設定（reconfigured）されることができる。一つの関係する態様では、他のキャリアが設定及び監視されることができる。ここでは、オリジナル・キャリア（original carrier）に関連するパフォーマンスに関する問題（problems）が検出されると、他のキャリアの上での伝送が考慮される。それゆえに、対象となるイノベーションのそのような態様は、システムにおける複数のキャリアの存在を活用する。ここでは、制御のために設定される主要なキャリアが欠ける場合には、許容できるチャネル品質を有する他のキャリアが、制御をそれに伝えるために使用されることができる（無線リンク故障を宣言する代わりに）。例えば、主要なキャリアが制御故障（control failure）のために設定される場合に備えて、ユーザ装置は、制御を監視するためのフォールバックとして使用可能な各々のキャリアごとの個別の識別子（例えば、セル無線ネットワーク一時識別情報（Cell Radio Network Temporary Identification）（Ｃ−ＲＮＴＩ））を割り当てられることができる。
【００２４】
本明細書で説明される技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケット・アクセス（ＨＳＰＡ）及び他のシステムなどのような、様々な無線通信システムのために使用されることができる。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。
【００２５】
シングルキャリア周波数分割多元接続（ＳＣ−ＦＤＭＡ）は、シングルキャリア変調及び周波数領域イコライゼイションを利用する。ＳＣ−ＦＤＭＡは、ＯＦＤＭＡシステムと同様のパフォーマンスを有し、また、ＯＦＤＭＡシステムと基本的に同じ全体的な複雑さを有する。ＳＣ−ＦＤＭＡ信号は、その固有のシングルキャリア構造のため、より低いピーク対平均電力比（ＰＡＰＲ）を有する。ＳＣ−ＦＤＭＡは、例えば、より低いＰＡＰＲが送信電力効率に関してアクセス端末のために利益をもたらすアップリンク通信において、使用されることができる。したがって、ＳＣ−ＦＤＭＡは、３ＧＰＰロングタームエボリューション（ＬＴＥ）又は発展型ＵＴＲＡ（Evolved UTRA）におけるアップリンク多元接続スキームとして実装されることができる。
【００２６】
高速パケット・アクセス（ＨＳＰＡ）は、高速ダウンリンク・パケット・アクセス（ＨＳＤＰＡ）技術及び高速アップリンク・パケット・アクセス（ＨＳＵＰＡ）又は強化されたアップリンク（enhanced uplink）（ＥＵＬ）技術を含むことができ、また、ＨＳＰＡ＋技術を含むこともできる。ＨＳＤＰＡ、ＨＳＵＰＡ及びＨＳＰＡ＋は、それぞれ、第３世代パートナーシッププロジェクト（３ＧＰＰ）仕様のリリース５、リリース６及びリリース７の一部である。
【００２７】
高速ダウンリンク・パケット・アクセス（ＨＳＤＰＡ）は、ネットワークからユーザ装置（ＵＥ）へのデータ伝送を最適化する。本明細書で使用されるように、ネットワークからユーザ装置ＵＥへの伝送は、「ダウンリンク」（ＤＬ）と呼ばれることができる。伝送方法は、数Ｍｂｉｔ／ｓのデータレートを可能にすることができる。高速ダウンリンク・パケット・アクセス（ＨＳＤＰＡ）は、モバイル無線ネットワークのキャパシティーを増加させることができる。高速アップリンク・パケット・アクセス（ＨＳＵＰＡ）は、端末からネットワークへのデータ伝送を最適化することができる。本明細書で使用されるように、端末からネットワークへの伝送は、「アップリンク」（ＵＬ）と呼ばれることができる。アップリンク・データ伝送方法は、数Ｍｂｉｔ／ｓのデータレートを可能にすることができる。ＨＳＰＡ＋は、３ＧＰＰ仕様のリリース７の規定によりアップリンク及びダウンリンクの両方における更なる改善さえ提供する。高速パケット・アクセス（ＨＳＰＡ）方法は、一般的に、大量のデータを送信するデータ・サービス（例えば、ボイスオーバーＩＰ（ＶｏＩＰ）、テレビ会議及びモバイル・オフィス・アプリケーション）において、ダウンリンクとアップリンクとの間のより高速なインタラクション（interactions）を可能にする。
【００２８】
例えばハイブリッド自動再送要求（hybrid automatic repeat request）（HARQ）などのような高速データ伝送プロトコルは、アップリンク及びダウンリンクの上で使用されることができる。そのようなプロトコル（例えば、ハイブリッド自動再送要求（ＨＡＲＱ））は、受信者が、誤って受信されたかもしれないパケットの再送信を自動的に要求するのを可能にする。
【００２９】
アクセス端末に関連して様々な実施形態が本明細書で説明される。アクセス端末はまた、システム、加入者ユニット、加入者設備（subscriber station）、モバイル局、モバイル、リモート局、リモート端末、モバイル・デバイス、ユーザ端末、端末、無線通信デバイス、ユーザ・エージェント、ユーザ・デバイス又はユーザ装置（ＵＥ）と呼ばれることができる。アクセス端末は、セルラー電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス、コンピュータ・デバイス、又は無線モデムに接続される他の処理デバイスであることができる。さらに、基地局に関連して様々な実施形態が本明細書で説明される。基地局は、（１又は複数の）アクセス端末と通信するために利用されることができ、また、アクセスポイント、Ｎｏｄｅ Ｂ、発展型Ｎｏｄｅ Ｂ（Evolved Node B）（ｅＮｏｄｅＢ）、アクセスポイント基地局と呼ばれることができ又は何らかの他の専門用語で呼ばれることができる。
【００３０】
さて、図１を参照して、本明細書で提示される様々な実施形態に従った無線通信システム１００が説明される。システム１００は、複数のアンテナ・グループを含むことができる基地局１０２を含む。例えば、一つのアンテナ・グループはアンテナ１０４と１０６を含むことができ、他のグループはアンテナ１０８と１１０を含むことができ、更なるグループはアンテナ１１２と１１４を含むことができる。各々のアンテナ・グループについて二つのアンテナが示されている；しかし、各々のグループについて、より多い又はより少ないアンテナが利用されることができる。基地局１０２は、送信機チェーンと受信機チェーンを更に含むことができる。そして、それらの各々は順に信号の送信と受信に関連する複数のコンポーネント（例えば、プロセッサ、変調器、マルチプレクサ、復調器、デマルチプレクサ、アンテナ、その他）を含むことができる。そのことは当業者により認識されるであろう。
【００３１】
基地局１０２は、１又は複数のアクセス端末（例えば、アクセス端末１１６とアクセス端末１２２）と通信することができる；しかし、基地局１０２が、アクセス端末１１６及び１２２と同様の実質的に任意の数のアクセス端末と通信することができることは認識されるべきである。アクセス端末１１６と１２２は、例えば、セルラー電話、スマートフォン、ラップトップ、ハンドヘルド通信デバイス、ハンドヘルド・コンピュータ・デバイス、衛星ラジオ、グローバル・ポジショニング・システム、ＰＤＡ、及び／又は無線通信システム１００上で通信するための任意の他の適したデバイスであることができる。表されるように、アクセス端末１１６は、アンテナ１１２及び１１４と通信する。ここで、アンテナ１１２及び１１４は、順方向リンク１１８上でアクセス端末１１６へ情報を送信し、逆方向リンク１２０上でアクセス端末１１６から情報を受信する。さらに、アクセス端末１２２は、アンテナ１０４及び１０６と通信する。ここで、アンテナ１０４及び１０６は、順方向リンク１２４上でアクセス端末１２２へ情報を送信し、逆方向リンク１２６上でアクセス端末１２２から情報を受信する。周波数分割二重通信（frequency division duplex）（ＦＤＤ）システムにおいて、例えば、順方向リンク１１８は、逆方向リンク１２０により使用される周波数バンドとは異なる周波数バンドを利用することができ、順方向リンク１２４は、逆方向リンク１２６により使用される周波数バンドとは異なる周波数バンドを使用することができる。さらに、時分割二重通信（time division duplex ）（ＴＤＤ）システムにおいて、順方向リンク１１８及び逆方向リンク１２０は、共通の周波数バンドを利用することができ、順方向リンク１２４及び逆方向リンク１２６は、共通の周波数バンドを利用することができる。
【００３２】
各々のアンテナ・グループ及び／又はそれらが通信するように指定されたエリアは、基地局１０２のセクターと呼ばれることができる。例えば、各アンテナ・グループは、基地局１０２によりカバーされるエリアのセクターにおいて各アクセス端末と通信するようにデザインされることができる。順方向リンク１１８及び１２４上の通信において、基地局１０２の送信アンテナは、アクセス端末１１６及び１２２のための順方向リンク１１８及び１２４の信号対雑音比を改善するために、ビームフォーミングを利用することができる。また、基地局１０２は、関連したカバレージの至る所にランダムに散在されるアクセス端末１１６及び１２２へ送信するためにビームフォーミングを利用するとき、近隣のセルの中のアクセス端末は、すべてのそのアクセス端末へ単一アンテナにより送信している基地局と比較して、より少ない干渉を受けることができる。
【００３３】
図２は、例示的な無線通信システム２００を示す。無線通信システム２００は、簡潔にするために、一つの基地局２１０及び一つのアクセス端末２５０を表す。しかし、システム２００が二つ以上の基地局及び／又は二つ以上のアクセス端末を含むことができる（ここで、更なる基地局及び／又はアクセス端末は、下で説明される例示的な基地局２１０及びアクセス端末２５０と実質的に同様であることもでき又は相違することもできる）ことは認識されるべきである。さらに、基地局２１０及び／又はアクセス端末２５０が、それらの間の無線通信を容易にするために、本明細書で説明されるシステム及び／又は方法を使用することができることは認識されるべきである。
【００３４】
基地局２１０において、幾つかのデータ・ストリームのためのトラフィック・データが、データソース２１２から送信（ＴＸ）データプロセッサ２１４へ提供される。一つの例によれば、各々のデータ・ストリームは、それぞれのアンテナの上に送信されることができる。ＴＸデータプロセッサ２１４は、該トラフィック・データ・ストリームを、そのデータ・ストリームのために選択される特定の符号化スキームに基づいて、フォーマット、符号化及びインターリーブして、符号化データを提供する。
【００３５】
各々のデータ・ストリームごとの符号化データは、直交周波数分割多重（ＯＦＤＭ）技術を使用して、パイロット・データとともに多重化されることができる。それに加えて又はその代わりに、パイロット・シンボルは、周波数分割多重化（ＦＤＭ）されることができ、時分割多重化（ＴＤＭ）されることができ、又は、符号分割多重化（ＣＤＭ）されることができる。パイロット・データは、一般的に、既知の方法で処理される既知のデータ・パターンであり、チャネル・レスポンスを推定するためにアクセス端末２５０において使用されることができる。各々のデータ・ストリームごとの多重化されたパイロット及び符号化データは、変調シンボルを提供するために、そのデータ・ストリームのために選択される特定の変調スキーム（例えば、二位相偏移変調（ＢＰＳＫ）、４位相偏移変調（ＱＰＳＫ）、Ｍ位相偏移変調（Ｍ−ＰＳＫ）、Ｍ−直交振幅変調（Ｍ−ＱＡＭ）、その他）に基づいて、変調（例えば、シンボル・マッピング）されることができる。各々のデータ・ストリームごとのデータレート、符号化及び変調は、プロセッサ２３０により実行又は提供されるインストラクションによって判定されることができる。
【００３６】
各々のデータ・ストリームごとの変調シンボルは、ＴＸ ＭＩＭＯプロセッサ２２０に提供されることができる。そして、ＴＸ ＭＩＭＯプロセッサ２２０は、変調シンボルを更に処理することができる（例えば、ＯＦＤＭのために）。ＴＸ ＭＩＭＯプロセッサ２２０は、それから、ＮＴ個の変調シンボル・ストリームをＮＴ個の送信機（ＴＭＴＲ）２２２ａ〜２２２ｔに提供する。様々な実施形態において、ＴＸ ＭＩＭＯプロセッサ２２０は、ビームフォーミング重みを、データ・ストリームのシンボルに及びシンボルが送信されているアンテナに、適用する。
【００３７】
各々の送信機２２２は、それぞれのシンボル・ストリームを受信し処理して、１又は複数のアナログ信号を提供し、さらに、該アナログ信号を調整（例えば、増幅、フィルタリング及びアップコンバート）して、ＭＩＭＯチャネル上での伝送に適した変調信号を提供する。さらに、送信機２２２ａ〜２２２ｔからのＮＴ個の変調信号は、それぞれ、ＮＴ個のアンテナ２２４ａ〜２２４ｔから送信される。
【００３８】
アクセス端末２５０において、送信された変調信号は、ＮＲ個のアンテナ２５２ａ〜２５２ｒにより受信され、そして、各々のアンテナ２５２からの受信信号は、それぞれの受信機（ＲＣＶＲ）２５４ａ〜２５４ｒに提供される。各々の受信機２５４は、それぞれの信号を調整（例えば、フィルタリング、増幅及びダウンコンバート）し、該調整された信号をデジタイズして、サンプルを提供し、さらに、該サンプルを処理して、対応する「受信（received）」シンボル・ストリームを提供する。
【００３９】
ＲＸデータプロセッサ２６０は、ＮＲ個の受信機２５４からのＮＲ個の受信シンボル・ストリームを受信し、特定の受信機処理技術に基づき処理して、ＮＴ個の「検出（detected）」シンボル・ストリームを提供することができる。ＲＸデータプロセッサ２６０は、データ・ストリームのためのトラフィック・データを回復するために、各々の検出シンボル・ストリームを復調、デインターリーブ及び復号化することができる。ＲＸデータプロセッサ２６０による処理は、基地局２１０におけるＴＸ ＭＩＭＯプロセッサ２２０及びＴＸデータプロセッサ２１４により実行される処理と相補的である。
【００４０】
プロセッサ２７０は、上記のようにいずれの利用可能な技術を利用するべきかについて周期的に判定することができる。さらに、プロセッサ２７０は、マトリックス・インデックス部及びランク値部を含む逆方向リンク・メッセージを作成する（formulate）ことができる。
【００４１】
逆方向リンク・メッセージは、通信リンク及び／又は受信データ・ストリームに関する様々なタイプの情報を含むことができる。逆方向リンク・メッセージは、ＴＸデータプロセッサ２３８（それはまたデータソース２３６から幾つかのデータ・ストリームのためのトラフィック・データを受信する）により処理され、変調器２８０により変調され、送信機２５４ａ〜２５４ｒにより調整され、そして、基地局２１０へ送信されることができる。
【００４２】
基地局２１０において、アクセス端末２５０からの変調信号は、アンテナ２２４により受信され、受信機２２２により調整され、復調器２４０により復調され、そして、アクセス端末２５０により送信された逆方向リンク・メッセージを抽出するために、ＲＸデータプロセッサ２４２により処理される。さらに、プロセッサ２３０は、ビームフォーミング重みの判定のためにいずれのプリコーディング行列を使用するべきかについて判定するために、該抽出されたメッセージを処理することができる。
【００４３】
プロセッサ２３０及び２７０は、それぞれ、基地局２１０及びアクセス端末２５０におけるオペレーションを指示（direct）（例えば、制御（control）、調整（coordinate）、管理（manage）、その他）することができる。それぞれのプロセッサ２３０及び２７０は、プログラム・コード及びデータを記憶するメモリ２３２及び２７２に関連することができる。プロセッサ２３０及び２７０はまた、それぞれ、アップリンク及びダウンリンクのための周波数及びインパルス応答推定を得るために計算を実行することができる。
【００４４】
次に、図３を参照して、一実施形態に従った無線リンク故障判定を容易にするための例示的なシステムが提供される。図示されるように、システム３００は、互いに及び／又は１又は複数のモバイル・デバイス３０４に対して、無線通信信号を受信、送信、再送（repeat）などをする、１又は複数のセクターにおける１又は複数の基地局３０２を含むことができる。各々の基地局３０２は、複数の送信機チェーン及び受信機チェーン（例えば、各々の送信及び受信アンテナごとに一つ）を含むことができる。それらのそれぞれは、信号の送信及び受信に関連する複数のコンポーネント（例えば、プロセッサ、変調器、マルチプレクサ、復調器、デマルチプレクサ、アンテナなど）を含むことができる。各々のモバイル・デバイス３０４は、１又は複数の送信機チェーン及び受信機チェーンを含むことができる。それらは多重入力多重出力（ＭＩＭＯ）システムのために利用されることができる。さらに、各々の送信機及び受信機チェーンは、信号の受信及び送信に関連する複数のコンポーネント（例えば、プロセッサ、変調器、マルチプレクサ、復調器、デマルチプレクサ、アンテナなど）を含むことができる。そのことは当業者により認識されるであろう。図３に示されるように、ｅＮｏｄｅＢ ３０２のためにキャリアのアクティブ・セット３０８が指定されることができる。ここで、そのようなアクティブ・セット３０８は、ユーザ装置の観点から使用可能なキャリアのセットを含む。よって、キャリアのアクティブ・セットは、それに関連するユーザ装置にとって許容できる品質を示す設定されたキャリアのグループを含む。例えば、アップリング及びダウンリンク・キャリアは、ユーザ装置のために設定されることができ、また、許容できるチャネル品質をもつキャリアを識別するために追跡されることができる。それらは、そのようなアクティブ・セットの一部として維持される。
【００４５】
一つの態様において、通信システムにおけるダウンリンク無線リンク品質は、無線不具合検出ステータス（radio problem detection statu）をより高いレイヤへ表示（indicating）するために、ユーザ装置により監視される。非ＤＲＸ（不連続受信（discontinuous reception））モード・オペレーションにおいて、ユーザ装置における物理レイヤは、あらゆる無線フレームが、予め定められた閾値に対して、予め定められた時間ウインドウの上で測定されるチャネル品質をチェックするのを可能にする。よって、ユーザ装置は、品質が閾値Ｑｏｕｔ未満である（例えば、閾値よりも劣った品質である）場合に、無線不具合検出をより高いレイヤに提供し、そして、品質が閾値Ｑｉｎより高品質になるまで、そのようにし続けることができる。ユーザ装置が、サービング・セルのダウンリンク無線リンク品質を検出するために、セルに特有の基準信号に基づいてダウンリンク・リンク品質を監視し得る点に留意される。そのようなリンク品質は、続いて、ダウンリンク無線リンクが信頼性をもって（reliably）受信されることができないレベルとして定義される閾値Ｑｏｕｔと比較されることができる（例えば、予め定められた送信パラメータで物理制御フォーマット表示チャネル（Physical Control Format Indicator Channel）エラーを考慮する仮定的な（hypothetical）物理ダウンリンク制御チャネル（hypothetical Physical Downlink Control Channel）伝送の１０％のブロック誤り率に対応する）。
【００４６】
ここでは、そのような測定は、各々のキャリアごとに、そして、ユーザ装置が接続されるセルについて、実行されることができる点に留意されるべきである。さらに、そのようなユーザ装置が制御を受信できるすべてのキャリアの上で無線不具合検出が宣言されない限り、ユーザ装置は、無線リンク故障ステータスにあると考慮されないであろう。例えば、ユーザ装置が接続されるセルは、マルチキャリア・グループ（例えば、そのユーザ装置のためのキャリアの‘アクティブ’セット）からのキャリアに関して‘レポートされた’不具合の追跡を保つことができる。アクティブ・キャリア・セットの範囲外にあるキャリアの上の信号品質が改善し、その後、許容できるレベルの範囲に入るならば、そのようなキャリアは、その後、アクティブ・キャリア・セットに加えられることができる。
【００４７】
一つの関係する態様において、ｅＮｏｄｅＢは、ユーザ装置により提供される規則的な（regular）チャネル品質表示レポートに基づいて、（ユーザ装置側で定義される予め定められた値と同じように）Ｑｏｕｔ／Ｑｉｎについて、予め定められた値を導入することができる。それゆえ、更なる手続き／基準がｅＮｏｄｅＢにおいて指定されることができる。そして、それは、更なるレポートを要求しなくても良い。更なる態様によると、ｅＮｏｄｅＢの手続きは、ｅＮｏｄｅＢにおけるＱｏｕｔ／Ｑｉｎの要求さえしないことによって、更に単純化されることができる−例えば、レポートされたチャネル品質表示インデックスがゼロ（すなわち、範囲外）であるならばキャリアが使用可能でないとみなされるように、ルールが指定されることができる。
【００４８】
通常モード（normal mode）において、ユーザ装置は、物理ダウンリンク制御チャネルのための（設定された(as configured)）１又は複数のアンカー・キャリア（anchor carriers）を監視する。複数のアンカー・キャリアが、物理ダウンリンク制御チャネルを監視するために設定（configured）され、それらのうちの一つの上でリンク問題（link problems）が識別される場合に、物理ダウンリンク制御チャネルのために及びその対応するアクションを実行するために使用されることができる他のキャリアが存在するであろう。さらに、物理ダウンリンク制御チャネルを監視するために設定される単一のキャリアだけが存在する場合には、そのリンクが失われる前に、再設定メッセージ（reconfiguration message）が送信されても良い。それでもなお、物理ダウンリンク制御チャネルが受信されるように設定される唯一のキャリアのリンク・ロス（link loss）が、再設定の前に失敗する（fails）ならば、途絶（disruptions）／問題（problems）が起こる可能性がある。例えば、対象となるイノベーションがない限り、たとえユーザ装置が物理ダウンリンク制御チャネルをもしかすると（potentially）受信することができるかもしれない他のキャリアが存在するとしても、ユーザ装置は無線リンク故障に直面する可能性がある。
【００４９】
よって、対象となるイノベーションのうちの一つの態様は、（１又は複数の）‘補助的な（secondary）’アンカー・キャリアを設定（configures）する。ユーザ装置が（１又は複数の）主要なキャリアに関連する問題を識別すると、そのようなＵＥは、デフォルト設定により（by default）、物理ダウンリンク制御チャネルのための（１又は複数の）補助的なキャリアを監視することができる。ｅＮｏｄｅＢは、チャネル品質表示フィードバックから主要なキャリアに関する問題について更に知ることができ、よって、（１又は複数の）補助的なキャリアの上で物理ダウンリンク制御チャネルを送信し始めることができる。前に説明した通り、そして、対象となるイノベーションの他の態様によれば、（１又は複数の）補助的なキャリアの設定よりもむしろ、物理ダウンリンク制御チャネルのためのすべての‘アクティブな’キャリアは、主要なキャリアに関連する問題が識別された後で、監視されることができる。そのような監視は、予め定められた期間の間に、そして、新たな設定（configuration）が受信されるまで、起こることができる。さらに、監視されるべきキャリアのセットは、他の基準に基づいて、削減されることができる（例えば、チャネル品質表示フィードバックに基づく最良の２つのキャリア）。制御チャネルの観点からキャリアが使用可能か否かを宣言する目的で、物理ダウンリンク制御チャネルの上で効率的にチャネル品質を推定するために、更なるチャネル品質表示レポート（それは制御領域（control region）に特有である）が評価されることができることは認識されるべきである。さらに、更なるチャネル品質表示フィードバックは、最良の物理ダウンリンク制御チャネル・キャリアを探知（locating）する目的で定義されることができる。そして、それは、クロスキャリア割り当てをその上で送信する特定のユーザ装置のための‘主要な’アンカー・キャリアとみなされることができる。前に説明した通り、ユーザ装置が無線リンク故障ステータスに落ちる（falls）場合に、そして、ダウンリンク同期がもはや維持されることができないときに、セル選択手続きがトリガーされることができる。
【００５０】
次に、図４を参照して、一実施形態に従った無線リンク故障判定を容易にする例示的な基地局（例えば、ｅＮｏｄｅＢ）のブロック図が提供される。図示されるように、基地局４００は、プロセッサ・コンポーネント４１０、メモリ・コンポーネント４２０、通信コンポーネント４３０、アクティブ・キャリア更新コンポーネント４４０、制御キャリア更新コンポーネント４５０、制御監視コンポーネント４６０を含んでも良い。
【００５１】
一つの態様において、プロセッサ・コンポーネント４１０は、複数の機能のうちの任意のものを実行することに関係するコンピュータ読み取り可能なインストラクションを実行するように構成される。プロセッサ・コンポーネント４１０は、基地局４００から通信されるべき情報を解析すること、及び／又は、メモリ・コンポーネント４２０、通信コンポーネント４３０、アクティブ・キャリア更新コンポーネント４４０、制御キャリア更新コンポーネント４５０及び／又は制御監視コンポーネント４６０により利用されることができる情報を生成することのために専用される単一のプロセッサ又は複数のプロセッサであることができる。それに加えて又はその代わりに、プロセッサ・コンポーネント４１０は、基地局４００の１又は複数のコンポーネントを制御するように構成されても良い。
【００５２】
他の態様において、メモリ・コンポーネント４２０は、プロセッサ・コンポーネント４１０に接続され、また、プロセッサ・コンポーネント４１０により実行されるコンピュータで読み取り可能なインストラクションを記憶するように構成される。メモリ・コンポーネント４２０はまた、通信コンポーネント４３０、アクティブ・キャリア更新コンポーネント４４０、制御キャリア更新コンポーネント４５０及び／又は制御監視コンポーネント４６０のうちの任意のものにより生成されるデータ含む複数の他のタイプのデータのうちの任意のものを記憶するように構成されても良い。メモリ・コンポーネント４２０は、ランダムアクセスメモリ、バッテリー・バックアップ付きメモリ（battery-backed memory）、ハードディスク、磁気テープなどを含む数多くの異なるコンフィギュレーションで構成されることができる。また、例えば圧縮及び自動バックアップ（compression and automatic back up）（例えば、独立ドライブの冗長アレイ（Redundant Array of Independent Drives）の構成の使用）などのような様々な機能（features）が、メモリ・コンポーネント４２０に実装されることができる。
【００５３】
さらにもう一つの態様において、基地局４００は、通信コンポーネント４３０を含む。通信コンポーネント４３０は、プロセッサ・コンポーネント４１０に接続され、また、基地局４００を外部エンティティーにインタフェースするように構成される。例えば、通信コンポーネント４３０は、無線端末により監視される設定されたダウンリンク・キャリアのセットに関連するチャネル品質表示メジャーメント（channel quality indicator measurements）のセットを受信するように構成されても良い。
【００５４】
図示されるように、基地局４００はまた、アクティブ・キャリア更新コンポーネント４４０及び制御キャリア更新コンポーネント４５０を含んでも良い。そのような実施形態の中で、アクティブ・キャリア更新コンポーネント４４０は、チャネル品質表示メジャーメントのセットに基づいて、キャリアのアクティブ・セットを更新するように構成されても良く、一方、制御キャリア更新コンポーネント４５０は、更新されたキャリアのアクティブ・セットに基づいて、制御キャリアのセットを確認するように構成されても良い。ここでは、キャリアのアクティブ・セットは、設定されたダウンリンク・キャリアのセットのうちのアクティブ・キャリアのサブセットであり、一方、制御キャリアのセットは、更新されたキャリアのアクティブ・セットのうちの制御キャリアのサブセットである点に留意されるべきである。アクティブ・キャリア更新コンポーネント４４０及び／又は制御キャリア更新コンポーネント４５０は、様々な方法のうちの任意の方法で更新を実行するように構成されても良い。例えば、アクティブ・キャリア更新コンポーネント４４０及び／又は制御キャリア更新コンポーネント４５０は、チャネル品質表示メジャーメントのセットと閾値との間で比較をするように構成されても良い。ここで、キャリアのアクティブ・セット及び／又は制御キャリアのセットは、該比較に基づいて更新される。
【００５５】
一つの態様において、キャリアのアクティブ・セット及び／又は制御キャリアのセットからキャリアを削除（removing）するための実施形態が考慮される。例えば、閾値品質パラメータとの比較に基づいて、アクティブ・キャリア更新コンポーネント４４０は、特定のキャリアを‘使用可能でない（unusable）’とみなしても良い。もしそうならば、アクティブ・キャリア更新コンポーネント４４０は、該使用可能でないキャリアを、キャリアのアクティブ・セットから削除するように構成されても良い。同様に、制御キャリア更新コンポーネント４５０が、該使用可能でないキャリアを制御の伝送に適さないとみなすならば、制御キャリア更新コンポーネント４５０は、該使用可能でないキャリアを制御キャリアのセットから削除するように構成されても良い。該使用可能でないキャリアが実際に制御キャリアのセットから削除されるならば、無線端末の再設定が実行されても良い。ここでは、制御監視コンポーネント４６０は、該使用可能でないキャリアの上で制御信号を追跡しないように無線端末を再設定するように構成される。そのような実施形態の中で、プロセスは、それから、該使用可能でないキャリアの上で制御信号を送信するのを中止（ceasing）することを更に含んでも良い。ここで、通信コンポーネント４３０は、そのような伝送を中止するように構成される。
【００５６】
キャリアを、キャリアのアクティブ・セット及び／又は制御キャリアのセットに加えるための実施形態がまた考慮される。例えば、チャネル品質表示メジャーメントの解析に基づいて、アクティブ・キャリア更新コンポーネント４４０は、新しいキャリアを、キャリアのアクティブ・セットに加えるように構成されても良い（例えば、新たなキャリアの品質が、品質閾値を超えるので；新たなキャリアの品質が、アクティブ・セットに現在含まれるキャリアの品質を超えるので；その他）。同様に、制御キャリア更新コンポーネント４５０が、新たなキャリアを制御伝送に適するとみなすならば、制御キャリア更新コンポーネント４５０は、新たなキャリアを制御キャリアのセットに加えるように構成されても良い。新たなキャリアが実際に制御キャリアのセットに加えられるならば、制御監視コンポーネント４６０は、新たなキャリアの上で制御信号を追跡するように無線端末を再設定するように構成されても良く、また、通信コンポーネント４３０は、新たなキャリアの上で制御信号を送信するように構成されても良い。
【００５７】
図示されるように、基地局４００は、制御監視コンポーネント４６０を更に含んでも良い。そのような実施形態の中で、制御監視コンポーネント４６０は、制御キャリアのセットにおける少なくとも一つのキャリアの上で制御信号を監視するように無線端末に指示（direct）するように構成されても良い。一つの態様において、制御監視コンポーネント４６０は、監視スキーム（monitoring scheme）を生成するように構成されても良い。ここで、無線端末の設定は、監視スキームを無線端末へ提供することを含んでも良い。さらに、そのような実施形態の中で、監視スキームは、監視するための無線端末のための少なくとも一つのキャリアの識別を容易にするために、通信コンポーネント４３０を介して提供されても良い。
【００５８】
特定の実施形態において、制御監視コンポーネント４６０は、少なくとも一つの主要なキャリアの上で制御信号を監視するように無線端末に指示する監視スキームを生成するように構成される。ここでは、少なくとも一つの主要なキャリアが制御キャリアのセットに含まれる点に留意されるべきである。そのために、監視スキームは、単一の主要なキャリア及び／又は主要なキャリアのセットを監視するように無線端末に指示しても良い点に更に留意されるべきである。例えば、監視スキームが、単一の主要なキャリアを監視するように無線端末に指示するならば、無線リンク故障判定は、単一の主要なキャリアの上で検出されるリンク・ロス（link loss）に基づくことができる。また一方、監視スキームが、第１の主要なキャリア及び第２の主要なキャリアを監視するように無線端末に指示するならば、無線リンク故障判定は、第１の主要なキャリアの上で検出される第１のリンク・ロス及び第２の主要なキャリアの上で検出される第２のリンク・ロスに基づくことができる。
【００５９】
他の実施形態において、単に制御キャリアのセットだけに基づいて無線リンク故障を宣言するよりはむしろ、監視スキームは、制御キャリアのセットの各々の上で検出されるリンク・ロスに応答して、（制御キャリアのセットに含まれない）少なくとも一つの追加的なキャリア（additional carrier）を監視するように無線端末に指示しても良い。そのような実施形態の中で、通信コンポーネント４３０は、少なくとも一つの追加的なキャリアの上で制御信号を送信するように構成されても良い。一つの態様において、この実施形態のための監視スキームは、少なくとも一つの追加的なキャリアになるべき補助的なキャリアのセットのうちの少なくとも一つを選択するように無線端末に指示することができる。ここで、補助的なキャリアのセットは、制御キャリアのセットを含まない、設定されたダウンリンク・キャリアのうちの補助的なキャリアのサブセットである。他の態様において、監視スキームは、制御キャリアのセットの各々の上で検出されるリンク・ロスに応答して、設定されたダウンリンク・キャリアのセットにおける各々のキャリアを監視するように無線端末に指示しても良い。この特定の実施形態について、無線の端末の再設定は、監視される制御キャリアの数を削減するように実行されても良い。ここで、そのような削減は、監視される制御キャリアのセットのチャネル品質評価に基づく。
【００６０】
図５に移って、一実施形態に従った無線リンク故障判定を容易にするシステム５００が説明される。例えば、システム５００及び／又はシステム５００を実装するためのインストラクションは、ネットワーク・エンティティー（例えば、基地局４００）又はコンピュータ読み取り可能な記憶媒体の内部に存在することができる。表されるように、システム５００は、プロセッサ、ソフトウェア又はそれらの組み合せ（例えば、ファームウェア）により実装される機能を表現することができる機能ブロックを含む。システム５００は、一緒に動作することができる電気コンポーネントの論理グループ５０２を含む。図示されるように、論理グループ５０２は、監視される設定されたダウンリンク・キャリアのセットに関連するチャネル品質表示メジャーメントを受信するための電気コンポーネント５１０、及び、上記チャネル品質表示メジャーメントに基づいて、キャリアのアクティブ・セットを更新するための電気コンポーネント５１２を含むことができる。論理グループ５０２はまた、更新されたキャリアのアクティブ・セットに基づいて、制御キャリアのセットを確認するための電気コンポーネント５１４を含むことができる。さらに、論理グループ５０２は、制御キャリアのセットにおける少なくとも一つのキャリアの上で制御信号を監視するように無線端末を設定するための電気コンポーネント５１６を含むことができる。さらに、システム５００は、電気コンポーネント５１０,５１２,５１４及び５１６に関連する機能を実行するためのインストラクションを保持するメモリ５２０を含むことができる。メモリ５２０の外部に存在するように示されるが、電気コンポーネント５１０,５１２,５１４及び５１６がメモリ５２０の内部に存在することができることは理解されるべきである。
【００６１】
次に、図６を参照して、無線リンク故障判定を容易にする例示的な方法を示すフローチャートが提供される。図示されるように、プロセス６００は、対象となるスペシフィケイションの態様に従ってネットワーク・エンティティー（例えば、基地局４００）の様々なコンポーネントにより実行され得る一連のアクトを含む。プロセス６００は、該一連のアクトを実装するためにコンピュータ読み取り可能な記憶媒体に記憶されるコンピュータ実行可能なインストラクションを実行するために少なくとも一つのプロセッサを使用することによって、実装されても良い。他の実施形態において、少なくとも一つのコンピュータにプロセス６００のアクトを実装させるためのコードを含むコンピュータ読み取り可能な記憶媒体が考慮される。
【００６２】
図示されるように、プロセス６００は、アクト６０５において無線端末のためのキャリアのアクティブ・セットを確認することから始まる。プロセス６００は、それから、アクト６１０における適切な監視スキームの選択に進む。一つの態様において、そのような監視スキームは、無線端末が制御信号を監視しなければならないキャリア（又は、キャリアのセット）を指示する（indicates）。ここでは、無線端末は、異なる能力（capabilities）（例えば、レガシーＵＥ、非レガシーＵＥ、その他）を有しても良く、及び／又は、異なる状況（例えば、干渉状況、バンド幅状況、その他）の下でオペレートしても良いので、アクト６１０において選択される監視スキームは変化し得ると考えられる。次に、アクト６１５において、ダウンリンク通信が無線端末へ送信される。そして、それは、制御キャリアのセット及びダウンリンク通信内での制御信号の監視のための要求される監視スキームの両方を識別する。
【００６３】
無線端末を設定した後に、基地局は、アクト６２０において、無線端末からチャネル品質表示メジャーメントを受信し始めても良い。ここでは、受信されたチャネル品質表示メジャーメントは、無線端末に関連する設定されたダウンリンク・キャリアのうちの任意のものと関連している（それは、非制御キャリアだけでなく、制御キャリアのセットを含む）点に留意される。プロセス６００は、それから、アクト６２５に進み、ここでは、基地局は、受信されたチャネル品質表示メジャーメントに基づいて、キャリアのアクティブ・セットを（及び、ことによると制御キャリアのセットも同様に）更新するべきかどうかについて判定する。アクト６２５において更新が要求されないならば、プロセス６００はアクト６２０へループバックし、ここでは、現在監視される（１又は複数の）キャリアに関連するチャネル品質表示メジャーメントが受信され続ける。また一方、アクト６２５において更新が確かに要求されるならば、プロセス６００はアクト６０５へループバックし、ここでは、更新されたキャリアのアクティブ・セットが確認される。一つの態様において、キャリアのアクティブ・セットが更新される場合に、必要に応じて、制御キャリアのセットが更新されても良い。
【００６４】
次に、図７を参照して、ブロック図は様々な態様に従った無線リンク故障判定を容易にする例示的な無線端末を示す。図示されるように、無線端末７００は、プロセッサ・コンポーネント７１０、メモリ・コンポーネント７２０、通信コンポーネント７３０、監視コンポーネント７４０、チャネル監視コンポーネント７５０、測定コンポーネント７６０及び判定コンポーネント７７０を含んでも良い。
【００６５】
基地局４００におけるプロセッサ・コンポーネント４１０と同様に、プロセッサ・コンポーネント７１０は、複数の機能のうちの任意のものを実行することに関係するコンピュータ読み取り可能なインストラクションを実行するように構成される。プロセッサ・コンポーネント９１０は、無線端末９００から通信されるべき情報を解析すること、及び／又は、メモリ・コンポーネント９２０、通信コンポーネント７３０、監視コンポーネント７４０、チャネル監視コンポーネント７５０、測定コンポーネント７６０及び／又は判定コンポーネント７７０により利用されることができる情報を生成することのために専用される単一のプロセッサ又は複数のプロセッサであることができる。それに加えて又はその代わりに、プロセッサ・コンポーネント７１０は、無線端末７００の１又は複数のコンポーネントを制御するように構成されても良い。
【００６６】
他の態様において、メモリ・コンポーネント７２０は、プロセッサ・コンポーネント７１０に接続され、また、プロセッサ・コンポーネント７１０により実行されるコンピュータ読み取り可能なインストラクションを記憶するように構成される。メモリ・コンポーネント９２０はまた、通信コンポーネント７３０、監視コンポーネント７４０、チャネル監視コンポーネント７５０、測定コンポーネント７６０及び／又は判定コンポーネント７７０のうちの任意のものにより生成されるデータを含む複数の他のタイプのデータのうちの任意のものを記憶するように構成されても良い。ここでは、メモリ・コンポーネント７２０は基地局４００におけるメモリ・コンポーネント４２０に類似している点に留意されるべきである。したがって、メモリ・コンポーネント４２０の前述の特徴（features）／構成（configurations）のうちの任意のものがまたメモリ・コンポーネント７２０に当てはまることは理解されるべきである。
【００６７】
さらにもう一つの態様に、無線端末７００は、通信コンポーネント７３０を含む。通信コンポーネント７３０は、プロセッサ・コンポーネント７１０に接続され、また、無線端末７００を外部エンティティーにインタフェースするように構成される。例えば、通信コンポーネント７３０は、ネットワーク・エンティティー（例えば、基地局４００）からダウンリンク通信を受信するように構成されても良い。この特定の実施形態について、ダウンリンク通信は、設定されたダウンリンク・キャリアのセットを介して受信される。
【００６８】
図示されるように、無線端末７００はまた、監視コンポーネント７４０及びチャネル監視コンポーネント７５０を含んでも良い。そのような実施形態の中で、監視コンポーネント７４０は、設定されたダウンリンク・キャリアのセットの上で受信信号のチャネル品質を監視するように構成され（ここで、受信信号は、例えば、制御信号、基準信号、データ信号、又はその種の他のものを含む複数のタイプの信号のうちの任意のものであることができる）、一方、チャネル監視コンポーネント７５０は、少なくとも一つのキャリアの上で制御信号の制御チャネル品質を追跡するように構成されても良い。一つの態様において、受信信号（例えば、基準信号）は、チャネル監視コンポーネント７５０により監視される制御チャネル品質を予測（predict）／マッピング（map）するために使用されることができる点に留意される。さらに、対象となるスペシフィケイションは、制御−物理ダウンリンク制御チャネル−チャネル品質（control-Physical Downlink Control Channel-channel quality）を直接実際に測定することなく、間接的に制御チャネル品質を追跡することを含む実施形態を考慮する。
【００６９】
そのため、非ＤＲＸモード・オペレーションに関して先に述べたように、ユーザ装置における物理レイヤは、あらゆる無線フレームが、予め定められた閾値に対して、予め定められた時間ウインドウの上で測定されるチャネル品質をチェックするのを可能にする。よって、ユーザ装置は、品質が閾値Ｑｏｕｔ未満である（例えば、閾値よりも劣った品質である）場合に、無線不具合検出をより高いレイヤに提供することができ、そして、品質が閾値Ｑｉｎより高品質になるまで、そのようにし続ける。ユーザ装置が、サービング・セルのダウンリンク無線リンク品質を検出するために、セルに特有の基準信号に基づいてダウンリンク・リンク品質を監視し得る点に留意される。そのようなリンク品質は、続いて、ダウンリンク無線リンクが信頼性をもって（reliably）受信されることができないレベルとして定義される閾値Ｑｏｕｔと比較されることができる（例えば、予め定められた送信パラメータで物理制御フォーマット表示チャネル（Physical Control Format Indicator Channel）エラーを考慮する仮定的な物理ダウンリンク制御チャネル（hypothetical Physical Downlink Control Channel）伝送の１０％のブロック誤り率に対応する）。
【００７０】
一つの態様において、チャネル監視コンポーネント７５０は、いずれの（１又は複数の）キャリアを監視するべきかについて、自立的に（independently）、及び／又は、ダウンリンク通信に含まれる監視スキームに従って、選択するように構成されても良い点に更に留意される。チャネル監視コンポーネント７５０は、制御キャリアのセットに含まれないキャリアだけでなく、制御キャリア内のキャリアを含む設定されたダウンリンク・キャリアのセットのうちの任意のものを監視するように構成されても良い点に更に留意されるべきである。
【００７１】
第１の態様において、チャネル監視コンポーネント７５０は、少なくとも一つの主要なキャリアを監視するように構成されても良い。ここで、少なくとも一つの主要なキャリアは、制御キャリアのセットに含まれ、また、制御キャリアのセットは、設定されたダウンリンク・キャリアのセットに含まれる。この特定の実施形態について、チャネル監視コンポーネント７５０は、単一の主要なキャリア及び／又は主要なキャリアのセットの上で制御信号の制御チャネル品質を監視するように構成されることができる。例えば、チャネル監視コンポーネント７５０が単一の主要なキャリアを監視するように構成される場合には、無線リンク故障判定は、単一の主要なキャリアの上で検出されるリンク・ロスに基づくことができる。また一方、チャネル監視コンポーネント７５０が第１の主要なキャリア及び第２の主要なキャリアを監視するように構成される場合には、無線リンク故障判定は、第１の主要なキャリアの上で検出される第１のリンク・ロス及び第２の主要なキャリアの上で検出される第２のリンク・ロスに基づくことができる。
【００７２】
他の態様において、単に制御キャリアのセットだけに基づいて無線リンク故障を宣言するよりはむしろ、チャネル監視コンポーネント７５０は、少なくとも一つの追加的なキャリア（制御キャリアのセットに含まれない）の上で制御信号の制御チャネル品質を監視するように構成される。そのような実施形態の中で、少なくとも一つの追加的なキャリアが、制御キャリアのセットの各々の上で検出されるリンク・ロスに応答して、選択される。例えば、チャネル監視コンポーネント７５０は、少なくとも一つの追加的なキャリアになるべき補助的なキャリアのセットのうちの少なくとも一つを宣言するように構成されることができる。ここで、補助的なキャリアは、制御キャリアのセットを含まない、設定されたダウンリンク・キャリアのセットのうちの補助的なキャリアのサブセットに含まれる。あるいは、チャネル監視コンポーネント７５０は、制御キャリアの各々の上で検出されるリンク・ロスに応答して、各々の設定されたダウンリンク・キャリアの上で制御信号の制御チャネル品質を監視するように構成されることができる。また、一つの態様において、受信された設定メッセージに従って、チャネル監視コンポーネント７５０を介して、監視される制御キャリアのセットを削減するためのアルゴリズムが、実装されることができる。ここで、受信された設定メッセージは、無線端末７００により確認されるチャネル品質表示メジャーメントのセットに基づく。
【００７３】
他の態様において、無線端末７００は、判定コンポーネント７７０を含む。そのような実施形態の中で、判定コンポーネント７７０は、チャネル監視コンポーネント７５０により確認される制御チャネル品質に基づいて、無線リンク故障判定を実行するように構成される。例えば、無線リンク故障判定は、制御チャネル品質を閾値と比較することに基づくことができる。ここで、判定コンポーネント７７０は、そのような比較を実行するように構成される。
【００７４】
図示されるように、無線端末７００は、測定コンポーネント７６０を更に含んでも良い。そのような実施形態の中で、測定コンポーネント７６０は、設定されたダウンリンク・キャリアのうちの任意のものに関連するチャネル品質表示メジャーメントのセットを確認する。一旦、チャネル品質表示メジャーメントのセットが確認されるならば、通信コンポーネント７３０は、チャネル品質表示メジャーメントのセットを外部エンティティーへレポートするように更に構成されることができる点に留意する必要がある。ここで、そのようなレポートは、ネットワーク・エンティティーへ（例えば、基地局４００へ）向けられることができる。
【００７５】
図８へ移って、一実施形態に従った無線リンク故障判定を容易にするシステム８００が説明される。例えば、システム８００及び／又はシステム８００を実装するためのインストラクションは、ユーザ装置（例えば、無線端末７００）又はコンピュータ読み取り可能な記憶媒体の内部に存在することができる。表されるように、システム８００は、プロセッサ、ソフトウェア又はそれらの組み合せ（例えば、ファームウェア）により実装される機能を表現することができる機能ブロックを含む。システム８００は、一緒に動作することができる電気コンポーネントの論理グループ８０２を含む。図示されるように、論理グループ８０２は、設定されたダウンリンク・キャリアのセットを介して、ダウンリンク通信を受信するための電気コンポーネント８１０、及び、上記設定されたダウンリンク・キャリアのセットの上で受信信号のチャネル品質を監視するための電気コンポーネント８１２を含むことができる。さらにまた、論理グループ８０２は、制御キャリアのセットに含まれる少なくとも一つの主要なキャリアの上で、制御信号の制御チャネル品質を追跡するための電気コンポーネント８１４を含むことができる。論理グループ８０２はまた、上記制御チャネル品質に基づいて、無線リンク故障判定を実行するための電気コンポーネント８１６を含むことができる。さらに、システム８００は、電気コンポーネント８１０,８１２,８１４及び８１６に関連する機能を実行するためのインストラクションを保持するメモリ８２０を含むことができる。メモリ８２０の外部に存在するように示されるが、電気コンポーネント８１０,８１２,８１４及び８１６がメモリ８２０の内部に存在することができることは理解されるべきである。
【００７６】
次に、図９を参照して、一実施形態に従った無線リンク故障判定を容易にする他のシステム９００が説明される。例えば、システム９００及び／又はシステム９００を実装するためのインストラクションはまた、ユーザ装置（例えば、無線端末７００）又はコンピュータ読み取り可能な記憶媒体の内部に存在することができる。ここで、システム９００は、プロセッサ、ソフトウェア又はそれらの組み合せ（例えば、ファームウェア）により実装される機能を表現することができる機能ブロックを含む。さらに、システム９００は、システム８００における論理グループ８０２と同様である一緒に動作することができる電気コンポーネントの論理グループ９０２を含む。図示されるように、論理グループ９０２は、設定されたダウンリンク・キャリアのセットを介して、ダウンリンク通信を受信するための電気コンポーネント９１０、及び、上記設定されたダウンリンク・キャリアのセットの上で受信信号のチャネル品質を監視するための電気コンポーネント９１２を含むことができる。論理グループ９０２はまた、制御キャリアのセットの各々に関連するリンク・ロスに応答して、追加的なキャリアを選択するための電気コンポーネント９１４を含むことができる。さらに、論理グループ９０２は、上記追加的なキャリアの上で制御信号の制御チャネル品質を追跡するための電気コンポーネント９１６、及び、上記制御チャネル品質に基づいて、無線リンク故障判定を実行するための電気コンポーネント９１８を含むことができる。さらに、システム９００は、電気コンポーネント９１０,９１２,９１４,９１６及び９１８に関連する機能を実行するためのインストラクションを保持するメモリ９２０を含むことができる。メモリ９２０の外部に存在するように示されるが、電気コンポーネント９１０,９１２,９１４,９１６及び９１８がメモリ９２０の内部に存在することができることは理解されるべきである。
【００７７】
次に、図１０を参照して、無線リンク故障判定を容易にする例示的な方法を示すフローチャートが提供される。図示されるように、プロセス１０００は、対象となるスペシフィケイションの態様に従ってユーザ装置（例えば、無線端末７００）の様々なコンポーネントにより実行され得る一連のアクトを含む。プロセス１０００は、該一連のアクトを実装するためにコンピュータ読み取り可能な記憶媒体に記憶されるコンピュータ実行可能なインストラクションを実行するために少なくとも一つのプロセッサを使用することによって、実装されても良い。他の実施形態において、少なくとも一つのコンピュータにプロセス１０００のアクトを実装させるためのコードを含むコンピュータ読み取り可能な記憶媒体が考慮される。
【００７８】
図示されるように、プロセス１０００は、アクト１００５において無線端末がネットワーク・エンティティーから（例えば、基地局４００から）ダウンリンク通信を受信することから始まる。一つの態様において、ダウンリンク通信は、無線端末に関連する制御キャリアのセットの表示（indication）を含む。ここで、制御キャリアは、無線端末のための設定されたダウンリンク・キャリアのサブセットである。次に、アクト１０１０において、無線端末は、ダウンリンク通信内で制御信号を監視するための要求される監視スキームを実装する。そのため、監視スキームは、そのような監視スキームを含むように予め設定されても良いが、監視スキームはまたネットワーク・エンティティーから受信されるダウンリンク通信に含まれても良い点に留意されるべきである。ここでは、無線端末は、異なる能力（capabilities）（例えば、レガシーＵＥ、非レガシーＵＥ、その他）を有しても良く、及び／又は、異なる状況（例えば、干渉状況、バンド幅状況、その他）の下でオペレートしても良いので、アクト１０１０において、様々な監視スキームのうちの任意のものが実装され得ると考えられる。
【００７９】
次に、アクト１０１５において、プロセス１０００は、設定されたダウンリンク・キャリアの監視に進む。プロセス１０００は、それから、アクト１０２０に進み、ここでは、無線端末は、設定されたダウンリンク・キャリアに関連するチャネル品質表示メジャーメントを収集する。プロセス１０００は、それから、アクト１０２５に進み、ここでは、制御キャリアのうちの少なくとも一つの制御チャネル品質評価に基づいて、リンク・ロスの判定が実行される。例えば、一つの態様において、アクト１０２５は、制御チャネル品質を閾値と比較することを含んでも良い。ここで、リンク・ロスの判定は、そのような比較に基づく。
【００８０】
アクト１０２５においてリンク・ロスがないと判定されるならば、プロセス１０００は、現在監視される（１又は複数の）キャリアが監視され続けるアクト１０１５へループバックする。また一方、アクト１０２５においてリンク・ロスが確かに判定されるならば、プロセス１０００は、制御信号のために追加的なキャリアが監視されなければならないかどうか判定するためにアクト１０３０に進む。例えば、特定の実施形態において、主要なキャリアの上でリンク・ロスを確認した後に無線リンク故障を宣言することは望ましい場合があり、一方、他の実施形態において、制御キャリアのセットの各々の上で検出されたリンク・ロスに応答して、無線端末が追加的なキャリア（制御キャリアのセットに含まれない）を監視するようにすることは望ましい場合がある。制御信号のために追加的なキャリアが監視されないならば、プロセス１０００は、無線リンク故障が宣言されるアクト１０３５に進む。さもなければ、プロセス１０００は、制御信号が追加的なキャリア（例えば、第２の主要なキャリア、補助的なキャリアのセット、すべての設定されたダウンリンク・キャリア、その他）の上で監視されるアクト１０１５へループバックする。
【００８１】
例示的な通信システム
次に、図１１を参照して、様々な態様に従って実装される例示的な通信システム１１００が提供される。該例示的な通信システム１１００は、複数のセルを含んでいる：セルＩ１１０２、セルＭ １１０４。ここでは、セル境界線領域１１６８により示されるように、近隣のセル１１０２,１１０４がわずかにオーバーラップし、それによって近隣のセル中の各基地局により送信される信号間の信号干渉の可能性を引き起こしている点に留意されるべきである。システム１１００の各々のセル１１０２,１１０４は、３つのセクターを含む。同様に、様々な態様に従って、複数のセクターに再分割されなかったセル（Ｎ＝１）、２つのセクターをもつセル（Ｎ＝２）及び３つを超えるセクターをもつセル（Ｎ＞３）も可能である。セル１１０２は、第１のセクター（セクターＩ １１１０）、第２のセクター（セクターＩＩ １１１２）及び第３のセクター（セクターＩＩＩ １１１４）を含む。各々のセクター１１１０,１１１２及び１１１４は、２つのセクター境界線領域を有する；各々の境界線領域は、２つの隣接するセクター間で共有される。
【００８２】
セクター境界線領域は、近隣のセクター中の基地局により送信される信号間の信号干渉の可能性を与える。ライン１１１６は、セクターｉ １１１０とセクターＩＩ １１１２との間のセクター境界線領域を表す；ライン１１１８は、セクターＩＩ １１１２とセクターＩＩＩ １１１４との間のセクター境界線領域を表す；ライン１１２０は、セクターＩＩＩ １１１４とセクター１ １１１０との間のセクター境界線領域を表す。同様に、セルＭ １１０４は、第１のセクター（セクターＩ １１２２）、第２のセクター（セクターＩＩ １１２４）及び第３のセクター（セクターＩＩＩ １１２６）を含む。ライン１１２８は、セクターｉ １１２２とセクターＩＩ １１２４との間のセクター境界線領域を表す；ライン１１３０は、セクターＩＩ １１２４とセクターＩＩＩ １１２６との間のセクター境界線領域を表す；ライン１１３２行は、セクターＩＩＩ １１２６とセクターｉ １１２２との間の境界線領域を表す。セルＩ １１０２は、基地局（ＢＳ）（基地局Ｉ １１０６）及び各々のセクター１１１０,１１１２,１１１４中の複数のエンドノード（ＥＮ）を含む。セクターＩ １１１０は、無線リンク１１４０,１１４２をそれぞれ介してＢＳ １１０６に接続されるＥＮ（１）１１３６及びＥＮ（Ｘ）１１３８を含む；セクターＩＩ １１１２は、無線リンク１１４８,１１５０をそれぞれ介してＢＳ １１０６に接続されるＥＮ（１’）１１４４及びＥＮ（Ｘ’）１１４６を含む；セクターＩＩＩ １１１４は、無線リンク１１５６,１１５８をそれぞれ介してＢＳ １１０６に接続されるＥＮ（１’’）１１５２及びＥＮ（Ｘ’’）１１５４を含む。同様に、セルＭ １１０４は、基地局Ｍ １１０８及び各々のセクター１１２２,１１２４及び１１２６中の複数のエンドノード（ＥＮ）を含む。セクターＩ １１２２は、無線リンク１１４０’，１１４２’をそれぞれ介してＢＳ Ｍ １１０８に接続されるＥＮ（１） １１３６’及びＥＮ（Ｘ） １１３８’を含む；セクターＩＩ １１２４は、無線リンク１１４８’，１１５０’をそれぞれ介してＢＳ Ｍ １１０８に接続されるＥＮ（１’） １１４４’及びＥＮ（Ｘ’） １１４６’を含む；セクター ３ １１２６は、無線リンク１１５６’，１１５８’をそれぞれ介してＢＳ １１０８に接続されるＥＮ（１’’） １１５２’及びＥＮ（Ｘ’’） １１５４’を含む。
【００８３】
システム１１００はまた、ネットワーク・リンク１１６２,１１６４をそれぞれ介してＢＳ Ｉ １１０６及びＢＳ Ｍ １１０８に接続されるネットワーク・ノード１１６０を含む。ネットワーク・ノード１１６０はまた、他のネットワーク・ノード（例えば、他の基地局、ＡＡＡサーバ・ノード、中間ノード、ルータなど）に接続され、また、ネットワーク・リンク１１６６を介してインターネットに接続される。ネットワーク・リンク１１６２,１１６４,１１６６は、例えば、光ファイバーケーブルであっても良い。各々のエンドノード（例えば、ＥＮ １ １１３６）は、受信機だけでなく送信機を含む無線端末であっても良い。無線端末（例えば、ＥＮ（１） １１３６）は、システム１１００全体にわたって移動しても良く、また、ＥＮが現在位置するセル中の基地局との無線リンクを介して通信しても良い。無線端末（ＷＴ）（例えば、ＥＮ（１） １１３６）は、基地局（例えば、ＢＳ １１０６）を介してピア・ノード（例えば、システム１１００中の又はシステム１１００の外部の他のＷＴ）と通信しても良く、及び／又は、ネットワーク・ノード１１６０と通信しても良い。ＷＴ（例えば、ＥＮ（１） １１３６）は、例えばセルラー電話、無線モデムをもつパーソナル・データ・アシスタントなどのような、モバイル通信デバイスであっても良い。それぞれの基地局は、ストリップ−シンボル期間のための方法を使用してトーン・サブセット割り当てを実行する。この方法は、残りの（rest）シンボル期間（例えば、非ストリップ−シンボル期間）におけるトーン割り当て及びトーン・ホッピングの判定のために使用される方法とは異なる方法である。無線端末は、それらが特定のストリップ−シンボル期間においてデータ及び情報を受信するために使用することができるトーンを判定するために、基地局から受信される情報（例えば、基地局のスロープＩＤ（slope ID）、セクターＩＤの情報）をトーン・サブセット割り当て方法とともに使用する。トーン・サブセット割り当てシーケンスは、インター・セクター及びインター・セル干渉をそれぞれのトーンの全体にわたって分散させるための様々な態様に従って、構築される（constructed）。対象となるシステムがセルラー・モードのコンテキストの範囲内で主に説明されたが、複数のモードが本明細書で説明される態様に従って利用（available）及び使用（employable）され得ることは認識されるべきである。
【００８４】
例示的な基地局
図１２は、様々な態様に従った例示的な基地局１２００を示す。基地局１２００は、セルのそれぞれの異なるセクター・タイプのために生成される異なるトーン・サブセット割り当てシーケンスを実装する。基地局１２００は、図１１のシステム１１００の基地局１１０６,１１０８の任意の一つとして使用されても良い。基地局１２００は、バス１２０９により一緒に接続された、受信機１２０２、送信機１２０４、プロセッサ１２０６（例えば、ＣＰＵ）、入出力インタフェース１２０８及びメモリ１２１０を含む。各種のエレメント１２０２,１２０４,１２０６,１２０８及び１２１０は、バス１２０９の上でデータ及び情報を交換し得る。
【００８５】
受信機１２０２に接続されるセクタライズ・アンテナ１２０３は、該基地局のセルの中の各々のセクターからの無線端末の伝送から、データ及び他の信号（例えば、チャネル・レポート）を受信するために使用される。送信機１２０４に接続されるセクタライズ・アンテナ１２０５は、該基地局のセルの各々のセクターの中の無線端末１３００（図１３を参照）へ、データ及び他の信号（例えば、制御信号、パイロット信号、ビーコン信号など）を送信するために使用される。様々な態様において、基地局１２００は、複数の受信機１２０２及び複数の送信機１２０４を（例えば、各々のセクターのための個別の受信機１２０２及び各々のセクターのための個別の送信機１２０４）使用しても良い。プロセッサ１２０６は、例えば、汎用中央演算処理装置（ＣＰＵ）であっても良い。プロセッサ１２０６は、メモリ１２１０に記憶される１又は複数のルーチン１２１８の指示（direction）の下で基地局１２００のオペレーションを制御し、方法を実装する。Ｉ／Ｏインタフェース１２０８は、他の基地局、アクセス・ルータ、ＡＡＡサーバ・ノード、その他、他のネットワーク、及びインターネットへＢＳ １２００を接続させる、他のネットワーク・ノードへのコネクションを提供する。メモリ１２１０は、ルーチン群１２１８及びデータ／情報１２２０を含む。
【００８６】
データ／情報１２２０は、データ１２３６、ダウンリンク・ストリップ−シンボル時間情報（downlink strip-symbol time information）１２４０及びダウンリンク・トーン情報１２４２を含むトーン・サブセット割り当てシーケンス情報１２３８、及び、複数のＷＴ情報のセット（ＷＴ １情報１２４６及びＷＴ Ｎ情報１２６０）を含む無線端末（ＷＴ）データ／情報１２４４を含む。各々のＷＴ情報（例えば、ＷＴ １情報１２４６）のセットは、データ１２４８、端末ＩＤ １２５０、セクターＩＤ １２５２、アップリンク・チャネル情報１２５４、ダウンリンク・チャネル情報１２５６、及びモード情報１２５８を含む。
【００８７】
ルーチン群１２１８は、通信ルーチン群１２２２及び基地局制御ルーチン群１２２４を含む。基地局制御ルーチン群１２２４は、スケジューラ・モジュール１２２６、並びに、ストリップ−シンボル期間のためのトーン・サブセット割り当てルーチン１２３０、残りのシンボル期間（例えば、非ストリップ−シンボル期間）のための他のダウンリンク・トーン割り当てホッピング・ルーチン群１２３２及びビーコン・ルーチン１２３４を含むシグナリング・ルーチン１２２８を含む。
【００８８】
データ１２３６は、ＷＴへの送信に先立って符号化するために送信機１２０４の符号器１２１４に送られるであろう送信されるべきデータ、及び、受信の後で受信機１２０２の復号器１２１２により処理されたＷＴからの受信データを含む。ダウンリンク・ストリップ−シンボル時間情報１２４０は、フレーム同期構造情報（frame synchronization structure information）（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケート（truncate）するためのリセット・ポイントであるかどうかを特定する情報を含む。ダウンリンク・トーン情報１２４２は、基地局１２００に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【００８９】
データ１２４８は、ＷＴ１ １３００がピア・ノードから受信したデータ、ＷＴ １ １３００がピア・ノードに送信されることを望むデータ、及び、ダウンリンク・チャネル品質レポート・フィードバック情報を含んでも良い。端末ＩＤ １２５０は、基地局１２００が割り当てた、ＷＴ１ １３００を識別するＩＤである。セクターＩＤ １２５２は、ＷＴ１ １３００が動作しているセクターを識別する情報を含む。セクターＩＤ １２５２は、例えば、セクター・タイプを判定するのに使用されることができる。アップリンク・チャネル情報１２５４は、例えば、データのためのアップリンク・トラフィック・チャネル・セグメント、リクエストのための専用アップリンク制御チャネル（dedicated uplink control channels for requests）、電力制御、タイミング制御などを使用するために、スケジューラ１２２６によりＷＴ１ １３００に割り当てられたチャネル・セグメントを識別する情報を含む。ＷＴ１ １３００に割り当てられる各々のアップリンク・チャネルは、１又は複数の論理トーン（logical tone）を含む（各々の論理トーンは、アップリンク・ホッピング・シーケンスの後に続く）。ダウンリンク・チャネル情報１２５６は、データ及び／又は情報をＷＴ１ １６００へ運ぶためにスケジューラ１２２６により割り当てられたチャネル・セグメント（例えば、ユーザ・データのためのダウンリンク・トラフィックチャネル・セグメント）を識別する情報を含む。ＷＴ１ １３００に割り当てられる各々のダウンリンク・チャネルは、１又は複数の論理トーンを含む（各々はダウンリンク・ホッピング・シーケンスの後に続く）。モード情報１２５８は、ＷＴ１ １３００のオペレーションの状態（例えば、スリープ（sleep）、ホールド（hold）、オン（on））を識別する情報を含む。
【００９０】
通信ルーチン１２２２は、様々な通信オペレーションを実行し、様々な通信プロトコルを実装するように、基地局１２００を制御する。基地局制御ルーチン１２２４は、基本的な基地局の機能的なタスク（例えば、信号の生成及び受信、スケジューリング）を実行し、ストリップ−シンボル期間の間にトーン・サブセット割り当てシーケンスを使用して無線端末に信号を送信することを含む幾つかの態様の方法のステップを実装するように、基地局１２００を制御するために使用される。
【００９１】
シグナリング・ルーチン１２２８は、その復号器１２１２をもつ受信機１２０２及びその符号器１２１４をもつ送信機１２０４のオペレーションを制御する。シグナリング・ルーチン１２２８は、送信データ１２３６及び制御情報の生成を制御する役割を果たす（responsible）。トーン・サブセット割り当てルーチン１２３０は、態様の方法を使用して、及び、ダウンリンク・ストリップ−シンボル時間情報１２４０及びセクターＩＤ １２５２を含むデータ／情報１２２０を使用して、ストリップ−シンボル期間において使用されるべきトーン・サブセットを構築する。ダウンリンク・トーン・サブセット割り当てシーケンスは、一つのセルにおける各々のセクター・タイプごとに異なり、また、隣接するセルについて異なるであろう。ＷＴ １３００は、ダウンリンク・トーン・サブセット割り当てシーケンスに従って、ストリップ−シンボル期間において、信号を受信する；基地局１２００は、送信信号を生成するために、同一のダウンリンク・トーン・サブセット割り当てシーケンスを使用する。他のダウンリンク・トーン割り当てホッピング・ルーチン１２３２は、ストリップ−シンボル期間以外のシンボル期間について、ダウンリンク・トーン情報１２４２及びダウンリンク・チャネル情報１２５６を含む情報を使用して、ダウンリンク・トーン・ホッピング・シーケンスを構築する。ダウンリンク・データ・トーン・ホッピング・シーケンスは、セルのセクターの全体にわたって同期する。ビーコン・ルーチン１２３４は、ビーコン信号（例えば、１又は２、３のトーンに集中する比較的高出力の信号）の送信を制御する。それは、同期の目的で、例えば、ウルトラスロット境界線に関して、ダウンリンク信号、したがってトーン・サブセット割り当てシーケンスのフレーム・タイミング構造を同期させるために、使用されても良い。
【００９２】
例示的な無線端末
図１３は、図１１に示されるシステム１１００の無線端末（エンド・ノード）のうちの任意の一つ（例えば、ＥＮ（１） １１３６）として使用されることができる例示的な無線端末（エンド・ノード）１３００を示す。無線端末１３００は、トーン・サブセット割り当てシーケンスを実装する。無線端末１３００は、バス１３１０により一緒に接続された、復号器１３１２を含む受信機１３０２、符号器１３１４を含む送信機１３０４、プロセッサ１３０６及びメモリ１３０８を含む。各種のエレメント１３０２,１３０４,１３０６,１３０８は、バス１３１０の上でデータ及び情報を交換することができる。基地局（及び／又は異なる無線端末）から信号を受信するために使用されるアンテナ１３０３が、受信機１３０２に接続される。信号を例えば基地局（及び／又は異なる無線端末）へ送信するために使用されるアンテナ１３０５が、送信機１３０４に接続される。
【００９３】
プロセッサ１３０６（例えば、ＣＰＵ）は、メモリ１３０８中のルーチン群１３２０を実行すること及びデータ／情報１３２２を使用することによって、無線端末１３００のオペレーションを制御し、方法を実装する。
【００９４】
データ／情報１３２２は、ユーザ・データ１３３４、ユーザ情報１３３６、及びトーン・サブセット割り当てシーケンス情報１３５０を含む。ユーザ・データ１３３４は、送信機１３０４による基地局への送信に先立って符号化するために符号器１３１４に送られるであろう、ピア・ノードに向けられたデータ、及び、受信機１３０２において復号器１３１２により処理された、基地局からの受信データを含んでも良い。ユーザ情報１３３６は、アップリンク・チャネル情報１３３８、ダウンリンク・チャネル情報１３４０、端末ＩＤ情報１３４２、基地局ＩＤ情報１３４４、セクターＩＤ情報１３４６、及びモード情報１３４８を含む。アップリンク・チャネル情報１３３８は、基地局への送信時に使用するために、無線端末１３００のために基地局により割り当てられたアップリンク・チャネル・セグメントを識別する情報を含む。アップリンク・チャネルは、アップリンク・トラフィック・チャネル、専用アップリンク制御チャネル（例えば、リクエスト・チャネル）、電力制御チャネル及びタイミング制御チャネルを含んでも良い。各々のアップリンク・チャネルは、１又は複数の論理トーンを含む。各々の論理トーンは、アップリンク・トーン・ホッピング・シーケンスの後に続く。アップリンク・ホッピング・シーケンスは、一つのセルの各々のセクター・タイプの間で、そして、隣接するセルの間で、異なる。ダウンリンク・チャネル情報１３４０は、基地局がＷＴ １３００へデータ／情報を送信しているときに使用するために、ＷＴ １３００へ基地局により割り当てられていたダウンリンク・チャネル・セグメントを識別する情報を含む。ダウンリンク・チャネルは、ダウンリンク・トラフィック・チャネル及び割り当てチャネルを含んでも良い。各々のダウンリンク・チャネルは、１又は複数の論理トーンを含む。各々の論理トーンは、ダウンリンク・ホッピング・シーケンスの後に続く。ダウンリンク・ホッピング・シーケンスは、セルの各々のセクターの間で同期する。
【００９５】
ユーザ情報１３３６はまた、基地局により割り当てられた識別情報である端末ＩＤ情報１３４２、ＷＴがそれとの通信を確立した特定の基地局を識別する基地局ＩＤ情報１３４４、及びＷＴ １３００が現在位置するセルの特定のセクターを識別するセクターＩＤ情報１３４６を含む。基地局ＩＤ １３４４は、セル・スロープ値（cell slope valueを提供し、セクターＩＤ情報１３４６は、セクター・インデックス・タイプを提供する；セル・スロープ値及びセクター・インデックス・タイプは、トーン・ホッピング・シーケンスを得るために使用され得る。また、ユーザ情報１３３６に含まれるモード情報１３４８は、ＷＴ １３００がスリープ・モードにあるか、ホールド・モードにあるか、又は、オン・モードにあるかについて識別する。
【００９６】
トーン・サブセット割り当てシーケンス情報１３５０は、ダウンリンク・ストリップ−シンボル時間情報１３５２及びダウンリンク・トーン情報１３５４を含む。ダウンリンク・ストリップ−シンボル時間情報１３５２は、フレーム同期構造情報（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケートするためのリセット・ポイントであるかどうかを特定する情報を含む。ダウンリンク・トーン情報１３５４は、基地局に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【００９７】
ルーチン群１３２０は、通信ルーチン群１３２４及び無線端末制御ルーチン群１３２６を含む。通信ルーチン群１３２４は、ＷＴ １３００により使用される様々な通信プロトコルを制御する。無線端末制御ルーチン群１３２６は、受信機１３０２及び送信機１３０４の制御を含む基本的な無線端末１３００の機能性を制御する。無線端末制御ルーチン群１３２６は、シグナリング・ルーチン１３２８を含む。シグナリング・ルーチン１３２８は、ストリップ−シンボル期間のためのトーン・サブセット割り当てルーチン１３３０、及び、残りのシンボル期間（例えば、非ストリップ−シンボル期間）のための他のダウンリンク・トーン割り当てホッピング・ルーチン１３３２を含む。トーン・サブセット割り当てルーチン１３３０は、幾つかの態様に従ってダウンリンク・トーン・サブセット割り当てシーケンスを生成し、基地局から送信された受信データを処理するために、ダウンリンク・チャネル情報１３４０、基地局ＩＤ情報１３４４（例えば、スロープ・インデックス及びセクター・タイプ）、及び、ダウンリンク・トーン情報１３５４を含むユーザ・データ／情報１３２２を使用する。他のダウンリンク・トーン割り当てホッピング・ルーチン１３３０は、ストリップ−シンボル期間以外のシンボル期間について、ダウンリンク・トーン情報１３５４及びダウンリンク・チャネル情報１３４０を含む情報を使用して、ダウンリンク・トーン・ホッピング・シーケンスを構築する。トーン・サブセット割り当てルーチン１３３０は、プロセッサ１３０６により実行されるときに、無線端末１３００が、いつ、そして、いずれのトーンの上で、基地局１２００から１又は複数のストリップ−シンボル信号を受信するべきかについて判定するために使用される。アップリンク・トーン割り当てホッピング・ルーチンは、いずれのトーンにおいてそれが送信されるべきか判定するために、基地局から受信される情報とともに、トーン・サブセット割り当て機能を使用する。
【００９８】
１又は複数の例示的な実施形態において、説明される機能は、ハードウェア、ソフトウェア、ファームウェア又はそれらの任意の組み合せにおいて実装されても良い。ソフトウェアで実装される場合には、該機能は、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コンピュータ読み取り可能な媒
体の範囲の中に含まれるべきである。
【００９９】
実施形態がプログラム・コード又はコード・セグメントで実装されるとき、コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適当な手段を用いて、パス、転送又は送信されることができる。さらに、幾つかの態様において、方法又はアルゴリズムのステップ及び／又はアクションは、機械読み取り可能な媒体及び／又はコンピュータ読み取り可能な媒体の上のコード及び／又はインストラクションのセットの一つ又は任意の組み合せとして存在することができる。そして、それは、コンピュータ・プログラム製品に組み込まれることができる。
【０１００】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【０１０１】
ハードウェア実装については、処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡｓ）、プロセッサ、コントローラ、マイクロコントローラ、マイクロプロセッサ、本明細書で説明された機能を実行するようにデザインされた他の電子ユニット、又はそれらの組合せの中で実装されることができる。
【０１０２】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識できる。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【０１０３】
本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【０１０４】
さらに、この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータ・デバイス上で動作するアプリケーションと、そのコンピュータ・デバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。 
以下に、本願出願の当初の特許請求の範囲に記載された各請求項に対応する発明を付記する。 
［１］無線リンク監視を容易にする方法において、該方法は、 
設定されたダウンリンク・キャリアのセットを介して、ダウンリンク通信を受信することと、 
前記設定されたダウンリンク・キャリアのセットの上で、受信信号のチャネル品質を監視することと、 
少なくとも一つの主要キャリアの上で、制御信号の制御チャネル品質を追跡することと、ここで、前記少なくとも一つの主要キャリアは制御キャリアのセットに含まれ、前記制御キャリアのセットは、前記設定されたダウンリンク・キャリアのセットに含まれる、 
前記制御チャネル品質に基づいて、無線リンク故障判定を実行することを含む方法。 
［２］前記設定されたダウンリンク・キャリアのセットに関連するチャネル品質表示メジャーメントのセットを、外部エンティティーへレポートすることを更に含む［１］の方法。 
［３］前記制御信号は、物理ダウンリンク制御チャネルである［１］の方法。 
［４］前記制御チャネル品質を閾値と比較することを更に含み、 
前記無線リンク故障判定は、前記比較に基づく［１］の方法。 
［５］前記追跡することは、単一の主要なキャリアを追跡することを含み、 
前記無線リンク故障判定は、前記単一の主要なキャリアの上で検出されるリンク・ロスに基づく［１］の方法。 
［６］前記追跡することは、第１の主要なキャリア及び第２の主要なキャリアを追跡することを含み、 
前記無線リンク故障判定は、前記第１の主要なキャリアの上で検出される第１のリンク・ロス及び前記第２の主要なキャリアの上で検出される第２のリンク・ロスに基づく［１］の方法。 
［７］前記受信信号は、基準信号を含む［１］の方法。 
［８］無線リンク監視を容易にするように構成される装置において、該装置は、 
メモリに記憶されたコンピュータ実行可能なコンポーネントを実行するように構成されるプロセッサを含み、該コンポーネントは、 
設定されたダウンリンク・キャリアのセットを介して、ダウンリンク通信を受信するように構成される通信コンポーネントと、 
前記設定されたダウンリンク・キャリアのセットの上で、受信信号のチャネル品質を監視するように構成される監視コンポーネントと、 
少なくとも一つの主要キャリアの上で、制御信号の制御チャネル品質を追跡するように構成される制御監視コンポーネントと、ここで、前記少なくとも一つの主要キャリアは制御キャリアのセットに含まれ、前記制御キャリアのセットは、前記設定されたダウンリンク・キャリアのセットに含まれる、 
前記制御チャネル品質に基づいて、無線リンク故障判定を実行するように構成される判定コンポーネントとを含む装置。 
［９］前記設定されたダウンリンク・キャリアのセットに関連するチャネル品質表示メジャーメントのセットを確認するように構成される測定コンポーネントを更に含み、 
前記通信コンポーネントは、前記チャネル品質表示メジャーメントのセットを外部エンティティーへレポートするように更に構成される［８］の装置。 
［１０］前記ダウンリンク通信は、少なくとも一つのキャリアを選択するように前記制御監視コンポーネントに指示する監視スキームを含み、 
前記制御チャネル品質は、前記少なくとも一つのキャリアの上で追跡される［８］の装置。 
［１１］前記判定コンポーネントは、前記制御チャネル品質と閾値との間の比較をするように更に構成され、 
前記無線リンク故障判定は、前記比較に基づく［８］の装置。 
［１２］前記制御チャネル品質は、単一の主要なキャリアの上で追跡され、 
前記無線リンク故障判定は、前記単一の主要なキャリアの上で検出されるリンク・ロスに基づく［８］の装置。 
［１３］前記制御チャネル品質は、第１の主要なキャリア及び第２の主要なキャリアの上で追跡され、 
前記無線リンク故障判定は、前記第１の主要なキャリアの上で検出される第１のリンク・ロス及び前記第２の主要なキャリアの上で検出される第２のリンク・ロスに基づく［８］の装置。 
［１４］前記受信信号は、基準信号を含む［８］の装置。 
［１５］無線リンク監視を容易にするコンピュータ・プログラム製品において、 
少なくとも一つのコンピュータに、 
設定されたダウンリンク・キャリアのセットを介して、ダウンリンク通信を受信させ、 
前記設定されたダウンリンク・キャリアのセットの上で、受信信号のチャネル品質を監視させ、 
少なくとも一つの主要キャリアの上で、制御信号の制御チャネル品質を追跡させ、ここで、前記少なくとも一つの主要キャリアは制御キャリアのセットに含まれ、前記制御キャリアのセットは、前記設定されたダウンリンク・キャリアのセットに含まれる、 
前記制御チャネル品質に基づいて、無線リンク故障判定を実行させるためのコードを含むコンピュータ読み取り可能な記憶媒体を含むコンピュータ・プログラム製品。 
［１６］前記受信信号は、基準信号を含む［１５］のコンピュータ・プログラム製品。 
［１７］前記コードは、更に、前記少なくとも一つのコンピュータに、前記制御チャネル品質と閾値との間の比較をさせ、 
前記無線リンク故障判定は、前記比較に基づく［１５］のコンピュータ・プログラム製品。 
［１８］無線リンク監視を容易にする装置において、該装置は、 
設定されたダウンリンク・キャリアのセットを介して、ダウンリンク通信を受信するための手段と、 
前記設定されたダウンリンク・キャリアのセットの上で、受信信号のチャネル品質を監視するための手段と、 
少なくとも一つの主要キャリアの上で、制御信号の制御チャネル品質を追跡するための手段と、ここで、前記少なくとも一つの主要キャリアは制御キャリアのセットに含まれ、前記制御キャリアのセットは、前記設定されたダウンリンク・キャリアのセットに含まれる、 
前記制御チャネル品質に基づいて、無線リンク故障判定を実行するための手段とを含む装置。 
［１９］前記制御信号の前記制御チャネル品質を追跡するための手段は、単一の主要なキャリアを追跡するように構成され、 
前記無線リンク故障判定は、前記単一の主要なキャリアの上で検出されるリンク・ロスに基づく［１８］の装置。 
［２０］前記制御信号の前記制御チャネル品質を追跡するための手段は、第１の主要なキャリア及び第２の主要なキャリアを追跡するように構成され、 
前記無線リンク故障判定は、前記第１の主要なキャリアの上で検出される第１のリンク・ロス及び前記第２の主要なキャリアの上で検出される第２のリンク・ロスに基づく［１８］の装置。 
［２１］無線リンク監視を容易にする方法において、該方法は、 
設定されたダウンリンク・キャリアのセットを介して、ダウンリンク通信を受信することと、 
前記設定されたダウンリンク・キャリアのセットの上で、受信信号のチャネル品質を監視することと、 
制御キャリアのセットの各々に関連するリンク・ロスに応答して、追加的なキャリアを選択することと、ここで、前記制御キャリアのセットは、前記設定されたダウンリンク・キャリアのセットに含まれ、前記追加的なキャリアは、前記制御キャリアのセットに含まれない、設定されたダウンリンク・キャリアである、 
前記追加的なキャリアの上で制御信号の制御チャネル品質を追跡することと、 
前記制御チャネル品質に基づいて、無線リンク故障判定を実行することを含む方法。 
［２２］前記設定されたダウンリンク・キャリアのセットに関連するチャネル品質表示メジャーメントのセットを、外部エンティティーへレポートすることを更に含む［２１］の方法。 
［２３］前記受信信号は、基準信号を含む［２１］の方法。 
［２４］前記制御チャネル品質を閾値と比較することを更に含み、 
前記無線リンク故障判定は、前記比較に基づく［２１］の方法。 
［２５］前記選択することは、前記追加的なキャリアになるべき補助的なキャリアのセットのうちの少なくとも一つを選択することを含み、 
前記補助的なキャリアのセットは、前記制御キャリアのセットを含まない、前記設定されたダウンリンク・キャリアのセットのうちのサブセットである［２１］の方法。 
［２６］前記選択することは、前記リンク・ロスに応答して、前記設定されたダウンリンク・キャリアのセットにおける各々のキャリアを選択することを含む［２１］の方法。 
［２７］受信された設定メッセージに従って、監視される制御キャリアのセットを削減することを更に含み、 
前記受信された設定メッセージは、チャネル品質表示メジャーメントのセットに基づく[２６]の方法。 
［２８］無線リンク監視を容易にするように構成される装置において、該装置は、 
メモリに記憶されたコンピュータ実行可能なコンポーネントを実行するように構成されるプロセッサを含み、該コンポーネントは、 
設定されたダウンリンク・キャリアのセットを介して、ダウンリンク通信を受信するように構成される通信コンポーネントと、 
前記設定されたダウンリンク・キャリアのセットの上で、受信信号のチャネル品質を監視するように構成される監視コンポーネントと、 
制御キャリアのセットの各々に関連するリンク・ロスに応答して選択された少なくとも一つの追加的なキャリアの上で、制御信号の制御チャネル品質を追跡するように構成される制御監視コンポーネントと、ここで、前記制御キャリアのセットは、前記設定されたダウンリンク・キャリアのセットに含まれ、前記少なくとも一つの追加的なキャリアは、前記制御キャリアのセットに含まれない、設定されたダウンリンク・キャリアである、 
前記制御チャネル品質に基づいて、無線リンク故障判定を実行するように構成される判定コンポーネントとを含む装置。 
［２９］前記設定されたダウンリンク・キャリアのセットに関連するチャネル品質表示メジャーメントのセットを確認するように構成される測定コンポーネントを更に含み、 
前記通信コンポーネントは、前記チャネル品質表示メジャーメントのセットを外部エンティティーへレポートするように更に構成される[２８]の装置。 
［３０］前記受信信号は、基準信号を含む[２[]の装置。 
［３１］前記判定コンポーネントは、前記制御チャネル品質と閾値との間の比較をするように更に構成され、 
前記無線リンク故障判定は、前記比較に基づく[２８]の装置。 
［３２］前記制御監視コンポーネントは、前記少なくとも一つの追加的なキャリアになるべき補助的なキャリアのセットのうちの少なくとも一つを宣言するように更に構成され、 
前記補助的なキャリアのセットは、前記制御キャリアのセットを含まない、前記設定されたダウンリンク・キャリアのセットのうちのサブセットである[２８]の装置。 
［３３］前記制御信号の制御チャネル品質は、前記リンク・ロスに応答して、前記設定されたダウンリンク・キャリアのセットにおける各々のキャリアの上で追跡される[２８]の装置。 
［３４］前記制御監視コンポーネントは、受信された設定メッセージに従って、監視される制御キャリアのセットを削減するように更に構成され、 
前記受信された設定メッセージは、チャネル品質表示メジャーメントのセットに基づく[３３]の装置。 
［３５］無線リンク監視を容易にするコンピュータ・プログラム製品において、 
少なくとも一つのコンピュータに、 
設定されたダウンリンク・キャリアのセットを介して、ダウンリンク通信を受信させ、 
前記設定されたダウンリンク・キャリアのセットの上で、受信信号のチャネル品質を監視させ、 
制御キャリアのセットの各々に関連するリンク・ロスに応答して、追加的なキャリアを選択させ、ここで、前記制御キャリアのセットは、前記設定されたダウンリンク・キャリアのセットに含まれ、前記追加的なキャリアは、前記制御キャリアのセットに含まれない、設定されたダウンリンク・キャリアである、 
前記追加的なキャリアの上で制御信号の制御チャネル品質を追跡させ、 
前記制御チャネル品質に基づいて、無線リンク故障判定を実行させるためのコードを含むコンピュータ読み取り可能な記憶媒体を含むコンピュータ・プログラム製品。 
［３６］前記コードは、更に、前記少なくとも一つのコンピュータに、前記設定されたダウンリンク・キャリアのセットに関連するチャネル品質表示メジャーメントのセットを、外部エンティティーへレポートさせる[３５]のコンピュータ・プログラム製品。 
［３７］前記コードは、更に、前記少なくとも一つのコンピュータに、前記追加的なキャリアになるべき補助的なキャリアのセットのうちの少なくとも一つを宣言させ、 
前記補助的なキャリアのセットは、前記制御キャリアのセットを含まない、前記設定されたダウンリンク・キャリアのセットのうちのサブセットである[３５]のコンピュータ・プログラム製品。 
［３８］前記コードは、更に、前記少なくとも一つのコンピュータに、前記リンク・ロスに応答して、前記制御信号の制御チャネル品質が、前記設定されたダウンリンク・キャリアのセットにおける各々のキャリアの上で追跡されるようにさせる[３５]のコンピュータ・プログラム製品。 
［３９］無線リンク監視を容易にする装置において、該装置は、 
設定されたダウンリンク・キャリアのセットを介して、ダウンリンク通信を受信するための手段と、 
前記設定されたダウンリンク・キャリアのセットの上で、受信信号のチャネル品質を監視するための手段と、 
制御キャリアのセットの各々に関連するリンク・ロスに応答して、追加的なキャリアを選択するための手段と、ここで、前記制御キャリアのセットは、前記設定されたダウンリンク・キャリアのセットに含まれ、前記追加的なキャリアは、前記制御キャリアのセットに含まれない、設定されたダウンリンク・キャリアである、 
前記追加的なキャリアの上で制御信号の制御チャネル品質を追跡するための手段と、 
前記制御チャネル品質に基づいて、無線リンク故障判定を実行するための手段とを含む装置。 
［４０］前記制御信号の前記制御チャネル品質を追跡するための手段は、前記リンク・ロスに応答して、前記設定されたダウンリンク・キャリアのセットにおける各々のキャリアの上で、前記制御信号の制御チャネル品質を、追跡する[３９]の装置。 
［４１］前記受信信号は、基準信号である[３９]の装置。 
［４２］無線リンク監視を容易にする方法において、該方法は、 
チャネル品質表示メジャーメントのセットを受信することと、ここで、前記チャネル品質表示メジャーメントのセットは、無線端末により監視される設定されたダウンリンク・キャリアのセットに関連する、 
前記チャネル品質表示メジャーメントのセットに基づいて、キャリアのアクティブ・セットを更新することと、ここで、前記キャリアのアクティブ・セットは、前記設定されたダウンリンク・キャリアのセットのうちのアクティブ・キャリアのサブセットである、 
更新されたキャリアのアクティブ・セットに基づいて、制御キャリアのセットを確認することと、ここで、前記制御キャリアのセットは、前記更新されたキャリアのアクティブ・セットのうちの制御キャリアのサブセットである、 
前記制御キャリアのセットにおける少なくとも一つのキャリアの上で制御信号を監視するように前記無線端末を設定することを含む方法。 
［４３］前記チャネル品質表示メジャーメントのセットを閾値と比較することを更に含み、 
前記更新することは、前記比較することに基づく[４２]の方法。 
［４４］前記設定することは、少なくとも一つのキャリアの識別を容易にするための監視スキームを前記無線端末へ提供することを更に含む[４２]の方法。 
［４５］前記監視スキームは、前記制御キャリアのセットに含まれる単一の主要なキャリアを追跡するように前記無線端末に指示し、 
無線リンク故障判定は、前記単一の主要なキャリアの上で検出されるリンク・ロスに基づく[４４]の方法。 
［４６］前記監視スキームは、前記制御キャリアのセットに含まれる第１の主要なキャリア及び第２の主要なキャリアを追跡するように前記無線端末に指示し、 
無線リンク故障判定は、前記第１の主要なキャリアの上で検出される第１のリンク・ロス及び前記第２の主要なキャリアの上で検出される第２のリンク・ロスに基づく[４４]の方法。 
［４７］前記監視スキームは、前記制御キャリアのセットの各々の上で検出されるリンク・ロスに応答して、少なくとも一つの追加的なキャリアを追跡するように前記無線端末に指示し、 
前記少なくとも一つの追加的なキャリアは、前記制御キャリアのセットに含まれない、設定されたダウンリンク・キャリアである[４４]の方法。 
［４８］前記少なくとも一つの追加的なキャリアの上で前記制御信号を送信することを更に含む[４７]の方法。 
［４９］前記監視スキームは、前記少なくとも一つの追加的なキャリアになるべき補助的なキャリアのセットのうちの少なくとも一つを選択するように前記無線端末に指示し、 
前記補助的なキャリアのセットは、前記制御キャリアのセットに含まない前記設定されたダウンリンク・キャリアのセットのうちの補助的なキャリアのサブセットである[４７]の方法。 
［５０］前記少なくとも一つの追加的なキャリアは、前記設定されたダウンリンク・キャリアのセットにおける各々のキャリアである[４７]の方法。 
［５１］前記監視スキームは、監視される制御キャリアのセットのチャネル品質評価に基づいて、該監視される制御キャリアのセットを削減するように前記無線端末に指示する[５０]の方法。 
［５２］前記更新することは、前記キャリアのアクティブ・セットから使用可能でないキャリアを削除することを含む[４２]の方法。 
［５３］前記確認することは、前記制御キャリアのセットから前記使用可能でないキャリアを削除することを含む[５２]の方法。 
［５４］前記使用可能でないキャリアの上で前記制御信号を追跡しないように前記無線端末を再設定することを更に含む[５３]の方法。 
［５５］前記使用可能でないキャリアの上で前記制御信号を送信するのを中止することを更に含む[５３]の方法。 
［５６］前記更新することは、新たなキャリアを前記キャリアのアクティブ・セットに加えることを含む[４２]の方法。 
［５７］前記確認することは、新たなキャリアを前記制御キャリアのセットに加えることを含む[５６]の方法。 
［５８］前記新たなキャリアの上で前記制御信号を追跡するように前記無線端末を再設定することを更に含む[５７]の方法。 
［５９］前記新たなキャリアの上で前記制御信号を送信することを更に含む[５７]の方法。 
［６０］無線リンク監視を容易にするように構成される装置において、該装置は、 
メモリに記憶されたコンピュータ実行可能なコンポーネントを実行するように構成されるプロセッサを含み、該コンポーネントは、 
チャネル品質表示メジャーメントのセットを受信するように構成される通信コンポーネントと、ここで、前記チャネル品質表示メジャーメントのセットは、無線端末により監視される設定されたダウンリンク・キャリアのセットに関連する、 
前記チャネル品質表示メジャーメントのセットに基づいて、キャリアのアクティブ・セットを更新するように構成されるアクティブ・キャリア更新コンポーネントと、ここで、前記キャリアのアクティブ・セットは、前記設定されたダウンリンク・キャリアのセットのうちのアクティブ・キャリアのサブセットである、 
更新されたキャリアのアクティブ・セットに基づいて、制御キャリアのセットを確認するように構成される制御キャリア更新コンポーネントと、ここで、前記制御キャリアのセットは、前記更新されたキャリアのアクティブ・セットのうちの制御キャリアのサブセットである、 
前記制御キャリアのセットにおける少なくとも一つのキャリアの上で制御信号を監視するように前記無線端末に指示するように構成される制御監視コンポーネントとを含む方法。 
［６１］前記アクティブ・キャリア更新コンポーネントは、前記チャネル品質表示メジャーメントのセットと閾値との間の比較をするように更に構成され、 
前記キャリアのアクティブ・セットは、前記比較に基づいて更新される[６０]の装置。 
［６２］前記制御監視コンポーネントは、少なくとも一つのキャリアの識別を容易にするための監視スキームを生成するように構成され、 
前記通信コンポーネントは、前記監視スキームを前記無線端末へ送信するように構成される[６０]の装置。 
［６３］前記監視スキームは、前記制御キャリアのセットに含まれる単一の主要なキャリアを追跡するように前記無線端末に指示し、 
無線リンク故障判定は、前記単一の主要なキャリアの上で検出されるリンク・ロスに基づく[６２]の装置。 
［６４］前記監視スキームは、前記制御キャリアのセットに含まれる第１の主要なキャリア及び第２の主要なキャリアを追跡するように前記無線端末に指示し、 
無線リンク故障判定は、前記第１の主要なキャリアの上で検出される第１のリンク・ロス及び前記第２の主要なキャリアの上で検出される第２のリンク・ロスに基づく[６２]の装置。 
［６５］前記監視スキームは、前記制御キャリアのセットの各々の上で検出されるリンク・ロスに応答して、少なくとも一つの追加的なキャリアを追跡するように前記無線端末に指示し、 
前記少なくとも一つの追加的なキャリアは、前記制御キャリアのセットに含まれない、設定されたダウンリンク・キャリアである[６２]の装置。 
［６６］前記通信コンポーネントは、少なくとも一つの追加的なキャリアの上で制御信号を送信するように構成される[６５]の装置。 
［６７］前記監視スキームは、前記少なくとも一つの追加的なキャリアになるべき補助的なキャリアのセットのうちの少なくとも一つを選択するように前記無線端末に指示し、 
前記補助的なキャリアのセットは、前記制御キャリアのセットを含まない、前記設定されたダウンリンク・キャリアのセットのうちの補助的なキャリアのサブセットである[６５]の装置。 
［６８］前記少なくとも一つの追加的なキャリアは、前記設定されたダウンリンク・キャリアのセットにおける各々のキャリアである[６５]の装置。 
［６９］前記監視スキームは、監視される制御キャリアのセットのチャネル品質評価に基づいて、該監視される制御キャリアのセットを削減するように前記無線端末に指示する[６８]の装置。 
［７０］前記アクティブ・キャリア更新コンポーネントは、前記キャリアのアクティブ・セットから使用可能でないキャリアを削除するように構成される[６０]の装置。 
［７１］前記制御キャリア更新コンポーネントは、前記制御キャリアのセットから前記使用可能でないキャリアを削除するように構成される[７０]の装置。 
［７２］前記制御監視コンポーネントは、前記使用可能でないキャリアの上で前記制御信号を追跡しないように前記無線端末を再設定するように構成される[７１]の装置。 
［７３］前記通信コンポーネントは、前記使用可能でないキャリアの上で前記制御信号を送信するのを中止するように構成される[７１]の装置。 
［７４］前記アクティブ・キャリア更新コンポーネントは、新たなキャリアを前記キャリアのアクティブ・セットに加えるように構成される[６０]の装置。 
［７５］前記制御キャリア更新コンポーネントは、新たなキャリアを前記制御キャリアのセットに加えるように構成される[７４]の装置。 
［７６］前記制御監視コンポーネントは、前記新たなキャリアの上で前記制御信号を追跡するように前記無線端末を再設定するように構成される[７５]の装置。 
［７７］前記通信コンポーネントは、前記新たなキャリアの上で前記制御信号を送信するように構成される[７６]の装置。 
［７８］無線リンク監視を容易にするコンピュータ・プログラム製品において、 
少なくとも一つのコンピュータに、 
チャネル品質表示メジャーメントのセットを受信させ、ここで、前記チャネル品質表示メジャーメントのセットは、無線端末により監視される設定されたダウンリンク・キャリアのセットに関連する、 
前記チャネル品質表示メジャーメントのセットに基づいて、キャリアのアクティブ・セットを更新させ、ここで、前記キャリアのアクティブ・セットは、前記設定されたダウンリンク・キャリアのセットのうちのアクティブ・キャリアのサブセットである、 
更新されたキャリアのアクティブ・セットに基づいて、制御キャリアのセットを確認させ、ここで、前記制御キャリアのセットは、前記更新されたキャリアのうちのアクティブ・セットの制御キャリアのサブセットである、 
前記制御キャリアのセットにおける少なくとも一つのキャリアの上で制御信号を監視するように前記無線端末を設定させるためのコードを含むコンピュータ読み取り可能な記憶媒体を含むコンピュータ・プログラム製品。 
［７９］前記コードは、更に、前記少なくとも一つのコンピュータに、前記チャネル品質表示メジャーメントでセットと閾値との間の比較をさせ、 
前記キャリアのアクティブ・セットは、前記比較に基づいて更新される[７８]のコンピュータ・プログラム製品。 
［８０］前記コードは、更に、前記少なくとも一つのコンピュータに、少なくとも一つのキャリアの識別を容易にするための監視スキームを前記無線端末へ提供させる[７８]のコンピュータ・プログラム製品。 
［８１］前記監視スキームは、前記制御キャリアのセットに含まれる単一の主要なキャリアを追跡するように前記無線端末に指示し、 
無線リンク故障判定は、前記単一の主要なキャリアの上で検出されるリンク・ロスに基づく[８０]のコンピュータ・プログラム製品。 
［８２］前記監視スキームは、前記制御キャリアのセットに含まれる第１の主要なキャリア及び第２の主要なキャリアを追跡するように前記無線端末に指示し、 
無線リンク故障判定は、前記第１の主要なキャリアの上で検出される第１のリンク・ロス及び前記第２の主要なキャリアの上で検出される第２のリンク・ロスに基づく[８０]のコンピュータ・プログラム製品。 
［８３］無線リンク監視を容易にするように構成される装置において、該装置は、 
チャネル品質表示メジャーメントのセットを受信するための手段と、ここで、前記チャネル品質表示メジャーメントのセットは、無線端末により監視される設定されたダウンリンク・キャリアのセットに関連する、 
前記チャネル品質表示メジャーメントのセットに基づいて、キャリアのアクティブ・セットを更新するための手段と、ここで、前記キャリアのアクティブ・セットは、前記設定されたダウンリンク・キャリアのセットのうちのアクティブ・キャリアのサブセットである、 
更新されたキャリアのアクティブ・セットに基づいて、制御キャリアのセットを確認するための手段と、ここで、前記制御キャリアのセットは、前記更新されたキャリアのアクティブ・セットのうちの制御キャリアのサブセットである、 
前記制御キャリアのセットにおける少なくとも一つのキャリアの上で制御信号を監視するように前記無線端末を設定するための手段と含む方法。 
［８４］少なくとも一つのキャリアの識別を容易にするための監視スキームを前記無線端末へ送信するための手段を更に含む[８３]の装置。 
［８５］前記監視スキームは、前記制御キャリアのセットの各々の上で検出されるリンク・ロスに応答して、追跡する少なくとも一つの追加的なキャリアを識別し、 
前記少なくとも一つの追加的なキャリアは、前記制御キャリアのセットに含まれない、設定されたダウンリンク・キャリアである[８４]の装置。 
［８６］前記監視スキームは、前記少なくとも一つの追加的なキャリアになるべき補助的なキャリアのセットのうちの少なくとも一つを選択するように前記無線端末に指示し、 
前記補助的なキャリアのセットは、前記制御キャリアのセットを含まない、前記設定されたダウンリンク・キャリアのセットのうちの補助的なキャリアのサブセットである[８５]の装置。 
［８７］前記少なくとも一つの追加的なキャリアは、前記設定されたダウンリンク・キャリアのセットにおける各々のキャリアである[８５]の装置。
【図１】
0005612176.tif 000002
【図２】
0005612176.tif 000003
【図３】
0005612176.tif 000004
【図４】
0005612176.tif 000005
【図５】
0005612176.tif 000006
【図６】
0005612176.tif 000007
【図７】
0005612176.tif 000008
【図８】
0005612176.tif 000009
【図９】
0005612176.tif 000010
【図１０】
0005612176.tif 000011
【図１１】
0005612176.tif 000012
【図１２】
0005612176.tif 000013
【図１３】
0005612176.tif 000014